(57)【要約】【課題】  従来のＣＤプレーヤと互換性を有すると共に、上位の再生装置で高音質の再生ができる記録媒体を提供する。【解決手段】  本発明を適用した記録媒体は、所定の標本化周波数で標本化され、所定のビット数で量子化されたデジタルオーディオ信号が記録された第１の記録領域３と、第１の記録領域３に記録されたデジタルオーディオ信号を管理するための情報が記録された第１の管理領域２と、第１の記録領域３に記録されたデジタルオーディオ信号に対応するデジタルオーディオ信号が記録された第２の記録領域６と、第２の記録領域６に記録されたデジタルオーディオ信号を管理するための情報が記録された第２の管理領域５とを有し、第１の管理領域２に複数の記録領域が存在することを示す識別データが記録される。【選択図】  図１
2006309940.tif 000002
【特許請求の範囲】
【請求項１】
所定の標本化周波数で標本化され、所定のビット数で量子化されたデジタルオーディオ信号が記録された第１の記録領域と、
上記第１の記録領域に記録されたデジタルオーディオ信号を管理する第１の管理領域と、
上記第１の記録領域に記録されたデジタルオーディオ信号に対応するデジタルオーディオ信号が記録された第２の記録領域と、
上記第２の記録領域に記録されたデジタルオーディオ信号を管理する第２の管理領域と、
を有することを特徴とする記録媒体。
【請求項２】
上記第１の記録領域に記録されたデジタルオーディオ信号は、２チャンネルのデジタルオーディオ信号であり、
上記第２の記録領域に記録されたデジタルオーディオ信号は、上記第１の記録領域に記録された２チャンネルのデジタルオーディオ信号に対応する２チャンネルのデジタルオーディオ信号である、
ことを特徴とする請求項１記載の記録媒体。
【請求項３】
上記第１の記録領域に記録されるデジタルオーディオ信号は、上記所定のビット数で量子化されたデジタルオーディオ信号を上位ビットと下位ビットとに分割した一方であり、
上記第２の記録領域に記録されるデジタルオーディオ信号は、上記所定のビット数で量子化されたデジタルオーディオ信号の他方である、
ことを特徴とする請求項１記載の記録媒体。
【請求項４】
上記第１の記録領域に記録されるデジタルオーディオ信号は、所定の標本化周波数で標本化されたデジタルオーディオ信号を帯域分割した一方の帯域のデジタルオーディオ信号をダウンサンプリングして得られるデジタルオーディオ信号であり、
上記第２の記録領域に記録されるデジタルオーディオ信号は、上記所定の標本化周波数で標本化されたデジタルオーディオ信号を帯域分割した他方の帯域のデジタルオーディオ信号である、
ことを特徴とする請求項１記載の記録媒体。
【請求項５】
上記第２の記録領域に記録されるデジタルオーディオ信号は、圧縮信号である、
ことを特徴とする請求項１記載の記録媒体。
【請求項６】
上記第２の記録領域には、上記第１の記録領域に対応したタイムコードが記録される、
ことを特徴とする請求項１記載の記録媒体。
【請求項７】
入力された信号が第１の標本化周波数で標本化され、第１のビット数で量子化されて第１のデジタルオーディオ信号としてＣＤ−ＤＡフォーマットで記録された第１のデータ記録領域と、
上記第１のデータ記録領域に記録された第１のデジタルオーディオ信号を管理する管理データがＣＤ−ＤＡフォーマットの管理データ形式で上記第１のデータ記録領域よりも内周に記録された第１の管理データ記録領域と、
上記第１の記録信号と同一音源から入力された信号が第１の標本化周波数で標本化され、第１のビット数で量子化されて第２のデジタルオーディオ信号として上記第１の記録信号とは異なるＣＤ−ＲＯＭフォーマットで上記第１のデータ記録領域よりも外周側に記録された第２のデータ記録領域と、
上記第２のデータ記録領域に記録された第２のデジタルオーディオ信号を管理する管理データが上記第２のデータ記録領域の内周側に記録された第２の管理データ記録領域と
を有することを特徴とする記録媒体。
【請求項８】
入力された信号が第１の標本化周波数で標本化され、第１のビット数で量子化されて第１のデジタルオーディオ信号として記録された第１のデータ記録領域と、
上記第１のデータ記録領域に記録された第１のデジタルオーディオ信号を管理する管理データが上記第１のデータ記録領域よりも内周に記録された第１の管理データ記録領域と、
上記第１の記録信号と同一音源から入力された信号が第１の標本化周波数で標本化され、第１のビット数で量子化されたのちデータ圧縮処理されて第２のデジタルオーディオ信号として上記第１のデータ記録領域よりも外周側に記録された第２のデータ記録領域と、
上記第２のデータ記録領域に記録された第２のデジタルオーディオ信号を管理する管理データが上記第２のデータ記録領域の内周側に記録された第２の管理データ記録領域と
を有することを特徴とする記録媒体。
【発明の詳細な説明】
【技術分野】
【０００１】
本発明は、複数の記録領域を有する記録媒体に関する。
【背景技術】
【０００２】
コンパクトディスク（ＣＤ：compact disc）は、まず、音楽ＣＤ（ＣＤ−ＤＡ：compact disc-digital audio）として供給され、その規格がマルチメディア用に拡張されてきている。そして、ＣＤの代表的な規格として、
ＣＤ−ＤＡフォーマット
ＣＤ−ＲＯＭ（compact disc-read only memory）フォーマット
ＣＤ−Ｉ（compact disc-interactive）フォーマット
ＣＤ−ＲＯＭ／ＸＡ（CD-ROM extended architecture）フォーマット
が規定されている。
【０００３】
ＣＤ−ＤＡフォーマットは、オーディオ用のフォーマットである。このＣＤ−ＤＡフォーマットは、他のＣＤフォーマットの基礎となるフォーマットであって、ディスクの物理的構造及び信号処理方式を規定している。
【０００４】
ＣＤ−ＲＯＭフォーマットは、コンピュータデータ用に拡張したフォーマットであり、このＣＤ−ＲＯＭフォーマットでは、物理的なブロック構造として、エラー検出コード（以下、ＥＤＣ：error detection codeという。）とエラー訂正コード（以下、ＥＣＣ：error correction codeという。）を付加したモード１と、ＥＤＣ／ＥＣＣを省略したモード２との２つのモードが規定されている。
【０００５】
ＣＤ−Ｉフォーマットは、オーディオデータのほかに画像データや文字データなどを含むように拡張したフォーマットであり、このＣＤ−Ｉフォーマットにおけるブロック構造は、ＣＤ−ＲＯＭフォーマットにおけるモード２のブロック構造となっており、このＣＤ−Ｉフォーマットでは、物理的なブロック構造として、ＥＤＣ／ＥＣＣを付加したフォーム１と、ＥＤＣ／ＥＣＣを省略したフォーム２との２つのモードが規定されている。
【０００６】
ＣＤ−ＲＯＭ／ＸＡフォーマットは、コンピュータデータとオーディオデータを同期させるために、データとオーディオデータをインタリーブさせることを規定している。このＣＤ−ＲＯＭ／ＸＡフォーマットにおけるブロック構造は、ＣＤ−ＲＯＭフォーマットにおけるモード２のブロック構造となっており、このＣＤ−ＲＯＭ／ＸＡフォーマットでは、物理的なブロック構造として、ＥＤＣ／ＥＣＣを付加したフォーム１と、ＥＤＣ／ＥＣＣを省略したフォーム２との２つのモードが規定されている。
【０００７】
ところで、最近、コンパクトディスクと同じサイズのディスクの一面に、有機系記録材料が塗布された記録面を設け、この記録面に光ビームによって任意のデータが書き込めるようにしたＣＤ−Ｒ（compact disc-recordable ）ディスクが提案され、このＣＤ−Ｒディスクでは、書換え可能ＣＤのためのＣＤ−ＭＯ（compact disc-magneto optical）フォーマットや、追記型ＣＤのためのＣＤ−ＷＯ（compact disc-write once）フォーマットが規定されている。そして、ＣＤ−Ｒディスクを利用して上述の各種フォーマットのＣＤが作成されるようになった。
【０００８】
ここで、ＣＤのフォーマットでは、１つのトラックは、１回で書き込まれた１つのまとまったファイル構造か、あるいはオーディオデータのセグメントになっている。
【０００９】
そして、当初、ＣＤ−ＤＡディスクやＣＤ−ＲＯＭディスク等は、再生専用のディスクであり、オーディオデータが記録されたオーディオトラック及び／又はコンピュータデータが記録されたデータトラックからなる１以上のトラックで構成された１のセッション（領域）が設けられたシングルセッションディスクであったが、追記が可能なＣＤ−Ｒディスクでは、ディスク上に複数のセッションを設けることができるようになっており、このＣＤ−Ｒディスクを利用したマルチセッションディスクが提供されるようになった。
【００１０】
従来技術として、特許文献１、２が知られている。
【００１１】
【特許文献１】特開平５−２５０８１１号公報
【特許文献２】特開平１−２８２７７９号公報
【発明の開示】
【発明が解決しようとする課題】
【００１２】
ところで、ＣＤ−ＤＡフォーマットで、ＣＤ−Ｒディスクに記録できるオーディオデータは１６ビットデータである。したがって、例えば１６ビット以上のビット数で記録されたマスタテープのオーディオデータをそのまま記録することはできない。
【００１３】
そこで、聴覚を考慮したスーパービットマッピング（super bit mapping）等でいわゆるノイズシェービングやディザ（dither）を利用して、１６ビット以上のオーディオデータを、音質を損ねることなく１６ビットにまとめてＣＤ−ＤＡフォーマットでＣＤ−Ｒディスクに記録している。
【００１４】
これらの技術により、ＣＤ−ＤＡフォーマットで記録されたＣＤ−Ｒディスクを通常のＣＤプレーヤで再生できるようになったが、本質的にデータ量を減らしているため、マスターテープの音と同一の音を再現することができなかった。
【００１５】
また、ＣＤ−ＲＯＭフォーマットを用いれば、上述した１６ビット以上のビット数のオーディオデータをＣＤ−Ｒディスクに記録することが可能となるが、ＣＤ−ＤＡフォーマットのＣＤと互換性がなくなるため、通常のＣＤプレーヤでこのＣＤ−Ｒディスクを再生することはできない。
【００１６】
さらに、従来のＣＤ−Ｒディスクのフォーマットには制約があり、例えばＣＤ−ＤＡフォーマットで記録されるオーディオセッションと、ＣＤ−ＲＯＭフォーマットで記録されるデータセッションとそれぞれ呼ばれる領域をいわゆるマルチセッションフォーマットにより同一のディスクに混在させて作成されたＣＤ−Ｒディスクを通常のＣＤプレーヤで再生すると、認識できない可能性のあるコードが記録されているため、オーディオセッションに記録されているオーディオトラックのオーディオデータの再生が不可能になったり、データセッションに記録されているデータトラックのデータを誤ってオーディオデータとして再生してしまう虞があった。
【００１７】
そこで、本発明は、上述の実情に鑑みてなされたものであり、従来のＣＤプレーヤと互換性を保ち、上位の再生装置では高音質での再生を可能にする記録媒体を提供することを目的とする。
【課題を解決するための手段】
【００１８】
本発明の記録媒体は、上述の問題を解決するために、所定の標本化周波数で標本化され、所定のビット数で量子化されたデジタルオーディオ信号が記録された第１の記録領域と、第１の記録領域に記録されたデジタルオーディオ信号を管理するための情報が記録された第１の管理領域と、第１の記録領域に記録されたデジタルオーディオ信号に対応するデジタルオーディオ信号が記録された第２の記録領域と、第２の記録領域に記録されたデジタルオーディオ信号を管理するための情報が記録された第２の管理領域とを有する。
【００１９】
また、第１の記録領域に記録されたデジタルオーディオ信号は、２チャンネルのデジタルオーディオ信号であり、第２の記録領域に記録されたデジタルオーディオ信号は第１の記録領域に記録された２チャンネルのデジタルオーディオ信号に対応する２チャンネルのデジタルオーディオ信号である。
【００２０】
また、第１の記録領域に記録されるデジタルオーディオ信号は、所定のビット数で量子化されたデジタルオーディオ信号を上位ビットと下位ビットとに分割した一方が記録され、第２の記録領域に記録されるデジタルオーディオ信号は、所定のビット数で量子化されたデジタルオーディオ信号の他方である。
【００２１】
また、第１の記録領域に記録されるデジタルオーディオ信号は、所定の標本化周波数で標本化されたデジタルオーディオ信号を帯域分割した一方のデジタルオーディオ信号をダウンサンプリングして得られるデジタルオーディオ信号であり、第２の記録領域に記録されるデジタルオーディオ信号は、所定の標本化周波数で標本化されたデジタルオーディオ信号を帯域分割した他方のデジタルオーディオ信号である。
【００２２】
また、第２の記録領域に記録されるデジタルオーディオ信号は、圧縮信号である。
【００２３】
また、第２の記録領域には、第１の記録領域に対応したタイムコードが記録される。
【００２４】
また、本発明の記録媒体は、上述の問題を解決するために、入力された信号が第１の標本化周波数で標本化され、第１のビット数で量子化されて第１のデジタルオーディオ信号としてＣＤ−ＤＡフォーマットで記録された第１のデータ記録領域と、上記第１のデータ記録領域に記録された第１のデジタルオーディオ信号を管理する管理データがＣＤ−ＤＡフォーマットの管理データ形式で上記第１のデータ記録領域よりも内周に記録された第１の管理データ記録領域と、上記第１の記録信号と同一音源から入力された信号が第１の標本化周波数で標本化され、第１のビット数で量子化されて第２のデジタルオーディオ信号として上記第１の記録信号とは異なるＣＤ−ＲＯＭフォーマットで上記第１のデータ記録領域よりも外周側に記録された第２のデータ記録領域と、上記第２のデータ記録領域に記録された第２のデジタルオーディオ信号を管理する管理データが上記第２のデータ記録領域の内周側に記録された第２の管理データ記録領域とを有する。
【００２５】
また、本発明の記録媒体は、上述の問題を解決するために、入力された信号が第１の標本化周波数で標本化され、第１のビット数で量子化されて第１のデジタルオーディオ信号として記録された第１のデータ記録領域と、上記第１のデータ記録領域に記録された第１のデジタルオーディオ信号を管理する管理データが上記第１のデータ記録領域よりも内周に記録された第１の管理データ記録領域と、上記第１の記録信号と同一音源から入力された信号が第１の標本化周波数で標本化され、第１のビット数で量子化されたのちデータ圧縮処理されて第２のデジタルオーディオ信号として上記第１のデータ記録領域よりも外周側に記録された第２のデータ記録領域と、上記第２のデータ記録領域に記録された第２のデジタルオーディオ信号を管理する管理データが上記第２のデータ記録領域の内周側に記録された第２の管理データ記録領域とを有する。
【００２６】
本発明の記録媒体によれば、第１の管理領域及び第１の記録領域を有して構成される第１のセッションと、第２の管理領域及び第２の記録領域を有して構成される第２のセッションとがまとめて記録される記録媒体、例えばディスク状記録媒体が作成できる。さらに、第１のセッションと第２のセッションとで、異なるフォーマットにてデータを記録することができる。また、第１のセッションにＣＤ−ＤＡフォーマットで記録されたデジタルオーディオ情報を、第２のセッションに第１のセッションに記録されたデジタルオーディオ情報に附属するデジタルオーディオ情報を記録することで、オーディオデータを高音質のままで記録すると共に、従来のＣＤプレーヤに対して互換性を保つ記録媒体が作成できる。
【００２７】
また、４チャンネルのデジタルオーディオ情報を各セッションに２チャンネルずつ、少なくとも第１のセッションにはＣＤ−ＤＡフォーマットにて記録する記録媒体とすることで、高音質のままオーディオデータを記録すると共に、従来のＣＤプレーヤに対して互換性を保つ記録媒体が作成できる。
【００２８】
また、例えば１６ビット以上のデジタルオーディオ情報の１６ビットまでを第１のセッションにＣＤ−ＤＡフォーマットにて記録し、残りのビット分のデジタルオーディオ情報を第２のセッションに例えばＣＤ−ＲＯＭフォーマットにて記録する記録媒体とすることで、高音質のままオーディオデータを記録すると共に、従来のＣＤプレーヤに対して互換性を保つ記録媒体が作成できる。
【００２９】
また、例えば通常のＣＤ−ＤＡフォーマットで規定されている標本化周波数で標本化したデジタルオーディオ情報を所定の周波数、例えば標本化周波数の１／２の周波数で帯域分割して、この周波数の高域側と低域側にグループ分けをし、低域側のデジタルオーディオ情報をダウンサンプリングして第１のセッションにＣＤ−ＤＡフオーマットにて記録し、高域側のデジタルオーディオ情報を第２のセッションに、例えばＣＤ−ＲＯＭフォーマットにて記録した記録媒体とすることで、高音質のままオーディオデータを記録すると共に、従来のＣＤプレーヤに対して互換性を保つ記録媒体が作成できる。
【発明の効果】
【００３０】
本発明の記録媒体によれば、第１の管理領域及び第１の記録領域を有して構成される第１のセッションと第２の管理領域及び第２の記録領域を有して構成される第２のセッションとで、異なるフォーマットにてデータを記録することができ、さらに、上記第１のセッションにＣＤ−ＤＡフォーマットで記録されたデジタルオーディオ情報を、上記第２のセッションに上記第１のセッションに記録されたデジタルオーディオ情報に付属するデジタルオーディオ情報を記録することで、音声データを高音質のままで記録するとともに、従来のＣＤプレーヤに対して互換性を保つ記録媒体が作成できる。
が可能となる。
【発明を実施するための最良の形態】
【００３１】
以下、本発明に係る記録媒体、記録装置並びに再生方法及び再生装置の実施の形態について、図面を参照しながら説明する。なお、記録媒体として、ディスク状記録媒体であるＣＤ−Ｒディスクを用い、記録装置としてこのＣＤ−Ｒディスクにデジタルオーディオ情報を記録するディスク状記録媒体の記録装置の例を挙げると共に、再生方法及び再生装置として、ＣＤ−Ｒディスクに記録されたデジタルオーディオ情報を再生するディスク状記録媒体の再生方法及び再生装置の例を挙げて説明する。
【００３２】
例えば図１に示すように、ＣＤ−Ｒディスク１は、所定の標本化周波数で標本化され、所定のビット数で量子化されたデジタルオーディオ信号（情報）が記録された第１の記録領域３と、第１の記録領域３に記録されたデジタルオーディオ信号を管理するための情報が記録された第１の管理領域２と、第１の記録領域３に記録されたデジタルオーディオ信号に対応するデジタルオーディオ信号が記録された第２の記録領域６と、第２の記録領域６に記録されたデジタルオーディオ信号を管理するための情報が記録された第２の管理領域５とを有する。
【００３３】
また、ＣＤ−Ｒディスク１には、中央にセンタ孔８が設けられており、第１の管理領域２と、第１の記録領域３と、これらの領域に対応する第１のリードアウト領域４とで第１のセッション（session）９が形成され、第２の管理領域５と、第２の記録領域６と、これらの領域に対応する第２のリードアウト領域７とで第２のセッション１０が形成されたいわゆるマルチセッションディスク（multisession disc）である。ここで、第１のセッション９には、ＣＤ−ＤＡフォーマットのデータが書き込まれ（記録され）、第２のセッション１０には、ＣＤ−ＲＯＭフォーマットのデータが書き込まれるようにしてもよい。
【００３４】
ここで、本発明の記録媒体上のアドレス情報の管理を説明するに先立ち、サブコーディングフレームについて説明する。
【００３５】
ＣＤ−ＤＡやＣＤ−ＲＯＭ等のＣＤ方式の誤り訂正符号としては、ＣＩＲＣ（cross interleaved reed solomon code）が採用されている。このＣＤ方式では、ディスク状記録媒体に記録される信号は、４４．１ｋＨｚの標本化周波数で標本化された信号である。また、この標本化されたデータは、６標本化区間分のデータ毎に１つのＣＩＲＣフレームにまとめられる。
【００３６】
この１つのＣＩＲＣフレームにまとめられた信号のフォーマットは、例えば図２に示すように、各ＣＩＲＣフレーム８５に２４ビットの同期パターンデータ領域８１と、１４ビットのサブコーディング領域８２と、１６個の各１４ビットのプログラムデータＤ０〜Ｄ１５から成るプログラムデータ領域８３と、４個の各１４ビットのパリティデータＰ０〜Ｐ３から成るパリティデータ領域８４と、別のプログラムデータ領域８３及びパリティデータ領域８４とを設けたものである。また、各領域のデータを結合させるために、各部分に対して３ビットの余白領域が設けられている。したがって、各ＣＩＲＣフレーム８５は、合計５８８ビットのデータを有している。
【００３７】
さらに、９８個のＣＩＲＣフレーム８５を集めて、この各ＣＩＲＣフレーム８５の各領域のデータを結合して並べ換えたものを図３に示す。
【００３８】
この図３に示すように、９８個のＣＩＲＣフレーム８５を集めて形成される各ブロック８９は、フレーム同期パターン部８６と、サブコーディング部８７と、データ及びパリティ部８８とから成る。
【００３９】
さらに、サブコーディング部８７は、９８個のＣＩＲＣフレームの同期パターンと、Ｐ、Ｑ、Ｒ、Ｓ、Ｔ、Ｕ、Ｖ、Ｗの８個のシンボルで定義されるデータ部分とを有している。特に、Ｐ、Ｑのシンボルで定義されるデータ部分は、再生装置のアクセス動作の制御用に用いられている。
【００４０】
ここで、図１に示した各領域には、ＣＤ−Ｒディスク１上における絶対位置を示すためのアドレスが与えられている。このアドレスは、Ｑのシンボルで定義されるデータ部分で管理されている。
【００４１】
図４は、第１のセッション９、すなわちＣＤ−ＤＡフォーマットにおけるＱのシンボルで定義されるデータ部分のフォーマットを示す。
【００４２】
このフォーマットで規定されているデータ構造は、トラック番号部１０１、インデックス部１０２、経過時間部１１０、０部１０６及び絶対時間部１１１から構成される情報フレーム１２０が繰り返されたデータ構成となっている。なお、経過時間部１１０は、分成分部１０３、秒成分部１０４及びフレーム番号成分部１０５から構成され、また、絶対時間部１１１も同様に分成分部１０７、秒成分部１０８及びフレーム番号成分部１０９から構成されている。フレーム番号成分部１０５、１０９は、共に１秒を更に細かく分ける数字である。
【００４３】
また、各部分のデータは、８ビットのデータからなり、例えば二進化十進法（binary coded decimal：ＢＣＤ）で表現された２桁で表現される。
【００４４】
図４において、トラック番号部１０１のデータＴＮＯが“０１”〜“９９”である場合、このデータＴＮＯは、第１の記録領域３に記録されるデータの順序を示す楽章番号いわゆるトラック番号を表し、経過時間部１１０及び絶対時間部１１１には、第１の記録領域３におけるトラック番号に対応するデータがデータ及びパリティ部８８に記録されている位置が示される。すなわち、このデータがデータ及びパリティ部８８のアドレスとなる。
【００４５】
また、インデックス部１０２は、楽章を更に細分化したものである。ただし、インデックス部１０２のデータＩＸが“００”である場合、このデータＩＸは、情報フレーム１２０が楽章間のポーズ区間であることを示すデータが記録される情報フレームであることを示し、特に１楽章目の前のポーズの始まり位置を０分０秒０フレームとし、経過時間部１１０及び絶対時間部１１１に示すデータの基準の位置として用いられる。また、０部１０６には、０が挿入される。
【００４６】
なお、経過時間部１１０には、各楽章の開始からの時間が記録され、この時間は、ポーズ区間が入るまで加算し続け、トラック番号が更新されると０から再度スタートする。これに対して、絶対時間部１１１には、基準の位置から加算されていく時間又は絶対時間が記録される。
【００４７】
また、トラック番号部１０１のデータＴＮＯが“ＡＡ”である場合は、このデータＴＮＯは、情報フレーム１２０が第１のリードアウト領域４の情報フレームであることを示す。
【００４８】
ここで、特に、データＴＮＯが“００”である場合、このデータＴＮＯは、情報フレーム１２０が第１の管理領域２内のデータであることを示し、この場合のフォーマットは、図５に示すデータ構造の繰り返しとなる。
【００４９】
この図５において、ポイント部１１２のデータＰＯが例えば“００”〜“９９”である場合、このデータＰ０は、情報フレーム１２０が、このデータＰＯで示される各楽章が始まる絶対時間を示す情報フレームであることを示し、絶対時間部１１１に記録される各データは、各楽章が始まる絶対時間を示している。なお、最初のポーズの開始位置を０時０分０フレームとしている。
【００５０】
また、データＰＯが“Ａ０”である場合、このデータＰＯは、情報フレーム１２０が最初の楽章番号が示される情報フレームであることを示し、絶対時間部１１１の分成分部１０７に記録されるデータＰＭＩＮは、最初の楽章番号を示し、分成分部１０７及び秒成分部１０８には、データＰＳＥＣ、ＰＦＲとして“００”が記録される。
【００５１】
また、データＰＯが“Ａ１”である場合、このデータＰ０は、情報フレーム１２０が最後の楽章番号が示される情報フレームであることを示し、分成分部１０７にはデータＰＭＩＮとして最後の楽章番号が記録され、秒成分１０８及びフレーム番号成分部１０９２は、データＰＳＥＣ、ＰＦＲとして“００”が記録される。
【００５２】
また、データＰＯが“Ａ２”である場合、このデータＰ０は、情報フレーム１２０が第１のリードアウト領域４が始まる絶対時間が示される情報フレームであることを示し、絶対時間部１１１には、データＰＭＩＮ、ＰＳＥＣ、ＰＦＲとして、第１のリードアウト領域４が始まる絶対時間が記録される。
【００５３】
なお、以上のどの場合においても、経過時間部１１０の各データ部分には、“００”が記録される。
【００５４】
さらに、第２のセッション１０の有無も、ポイント部１１２に示される。例えば、ポイント部１１２にデータＰＯとして“ＢＯ”が書き込まれていると、このデータＰＯは、第２の管理領域５が、第１のリードアウト領域４の後のポーズ部分の外周部分に設けられていることを示し、この位置を示す絶対時間は、例えば経過時間部１１０の分成分部１０３、秒成分部１０４及びフレーム番号部１０５に示される。なお、経過時間部１１０に限らず、絶対時間部１１１に第２の管理領域５の開始位置を示す絶対時間を記録してもよい。
【００５５】
さらに、第２の記録領域６に第１の記録領域３に記録されているデータに対応するデータが記録されている場合、ポイント部１１２が“Ｅ０”である情報フレームが設けられる。この情報フレームがない場合は、第２のセッション１０には文字データのみが第２の管理領域５に記録され、第２の記録領域６にはデータが記録されていないディスク、いわゆる文字付ディスクであることが示される。
【００５６】
なお、第２のセッション１０の有無を示す識別データとして、ポイント部１１２に“Ｂ０”が記録された情報フレームを設ける例を挙げたが、これに限定されず、“Ｃ０”が記録された情報フレームをもって識別データとしてもよい。ＣＤ−Ｒディスク１と文字付ディスクとを識別するための識別データとして“Ｅ０”が記録された情報フレームを設けたが、こちらもこれに限定されず、他の種類の情報フレームを用いてもよい。
【００５７】
また、同様に第２の記録領域６のデジタルオーディオ情報は、第２の管理領域５の情報フレームにより、通常のＣＤ−ＲＯＭフォーマットとして上述のように管理される。
【００５８】
ここで、ＣＤ−Ｒディスクの具体例を、このＣＤ−Ｒディスクにデータを記録する記録装置の第１の実施例と合わせて説明する。
【００５９】
この第１の実施例の記録装置は、例えば図６に示すように、複数の記録領域を有するＣＤ−Ｒディスク１に情報を記録する記録装置であって、音源からのオーディオ信号を所定の標本化周波数で標本化すると共に、得られるデジタルオーディオ情報（信号）をＣＤ−Ｒディスク１に記録する形態に変換する音声処理部２３と、音声処理部２３で処理されたデジタルオーディオ情報をＣＤ−Ｒディスク１の第１のセッション９と第２のセッション１０に記録する記録部１８とを有する。
【００６０】
また、音声処理部２３は、例えば図７に示すように、第１の音源からのオーディオ信号を所定の標本化周波数で標本化すると共に、得られるデジタルオーディオ情報を所定のビット数で量子化する第１の音声処理部１６と、第１の音源に対応する第２の音源からのオーディオ信号を所定の標本化周波数と同一の標本化周波数で標本化すると共に、得られるデジタルオーディオ情報を圧縮する第２の音声処理部１７とを有する。そして、記録部１８は、第１の音声処理部１６からのデジタルオーディオ情報を第１のセッション９の第１の記録領域３に記録し、第２の音声処理部１７からのデジタルオーディオ情報を第２のセッション１０の第２の記録領域６に記録する。
【００６１】
具体的には、第１の前方マイク１２と第２の前方マイク１３は、前方チャンネル用のマイクであり、第１の後方マイク１４と第２の後方マイク１５は、後方チャンネル用のマイクであり、前方チャンネルと後方チャンネルで、複数のチャンネルを有するいわゆるマルチチャンネルが構成されている。
【００６２】
そして、前方チャンネル、すなわち前方マイク１２、１３からの２チャンネルのオーディオ信号は、第１の音声処理部１６に供給され、第１の音声処理部１６は、例えばＣＤ−ＤＡフォーマットで規定されている４４．１ｋＨｚの標本化周波数でこの前方チャンネルのオーディオ信号を標本化した後、１６ビット直線量子化して、量子化データを記録部１８に供給する。記録部１８は、この量子化データを第１のセッション９の第１の記録領域３に記録する。
【００６３】
後方チャンネル、すなわち後方マイク圧縮器１５、１５からの２チャンネルのオーディオ信号は、第２の音声処理部１７に供給され、第２の音声処理部１７は、同様に、後方チャンネルのオーディオ信号を、例えば４４．１ｋＨｚの標本化周波数で標本化した後、例えば聴覚特性を生かし略１／５のデータサイズにビット圧縮するアダプティブ・トランスフォーム・アコースティック・コーディング（adaptive transform acoustic coding：ＡＴＲＡＣ）のアルゴリズムを用いて、圧縮を行う。記録部１８は、この圧縮されたデータを第２のセッション１０の第２の記録領域６に記録する。
【００６４】
また、このとき、上述したように、第１の管理領域２には、ポイント部１１２が例えば“Ｂ０”あるいは“Ｃ０”と定義された情報フレームと、ポイント部１１２が“Ｅ０”と定義された情報フレームとが、さらに、第２の管理領域５には、ポイント部１１２が例えば“Ｄ１”と定義された情報フレームが記録される。
【００６５】
ところで、従来のＣＤ−ＤＡフォーマットでは、４チャンネルのデジタルオーディオ情報は、最長で通常の２チャンネルのデジタルオーディオ情報の記録可能時間の半分の時間までしか記録できなかったが、この本発明を適用した記録装置では、この点を改善し、４チャンネルのデジタルオーディオ情報で代表されるマルチチャンネルのデジタルオーディオ情報の長時間の記録ができると共に、通常のＣＤプレーヤによって、ＣＤ−ＤＡフォーマットで記録されたデジタルオーディオ情報を再生することができる記録媒体を実現することができる。
【００６６】
なお、上述では、第１のセッション９に通常のＣＤプレーヤで再生可能なＤ−ＤＡフォーマットのデジタルオーディオ情報が記録されると共に、第２のセッション１０に４４．１ｋＨｚの標本化周波数で標本化され、ＡＴＲＡＣのアルゴリズムを用いて圧縮されたデジタルオーディオ情報が記録されたＣＤ−Ｒディスクであることを示す識別データとして、第１の管理領域２のポイント部１１２が“Ｂ０”あるいは“Ｃ０”である情報フレームと、“Ｅ０”である情報フレームとを設け、さらに、第２の管理領域５のポイント部１１２が“Ｄ１”である情報フレームを設けた具体例について説明したが、本発明は、この具体例に限定されるものではなく、例えば第１の管理領域２のポイント部１１２及び第２の管理領域５のポイント部１１２に他の値を記録して、識別データとしてもよい。
【００６７】
また、上述では、第２の音声処理部１７において、後方チャンネルのオーディオ信号をＡＴＲＡＣのアルゴリズムを用いて圧縮したが、これに限定されず、他の圧縮アルゴリズムを用いて圧縮するようにしてもよい。さらには、圧縮しなくてもビット数を落とすようにダウンサンプリングして、ＣＤ−ＲＯＭフォーマットのデータになるような量子化を行うようにしてもよい。
【００６８】
つぎに、本発明を適用した記録装置の第２の実施例について説明する。
【００６９】
この第２の実施例の記録装置は、例えば図８に示すように、音声処理部２３として、音源からのオーディオ信号を所定の標本化周波数で標本化すると共に、得られるデジタルオーディオ情報を所定のビット数で量子化する量子化部２４と、量子化部２４からのデジタルオーディオ情報を上位ビットと下位ビットに分離する分離部２５とを有する。そして、記録部１８は、分離部２５からの上位ビットのデジタルオーディオ情報をＣＤ−Ｒディスク１の第１のセッション９に記録し、下位ビットのデジタルオーディオ情報をこのＣＤ−Ｒディスク１の第２のセッション１０に記録するようになっている。
【００７０】
具体的には、第１のマイク２１と第２のマイク２２からのオーディオ信号は、量子化部２４に供給される。量子化部２４は、これらのオーディオ信号を、例えばＣＤ−ＤＡフォーマットで規定されている４４．１ｋＨｚの標本化周波数にて標本化した後、２０ビット直線量子化する。ここで、ＣＤ−ＤＡフォーマットで規定されるデータサイズは１６ビットであるため、分離部２５は、２０ビット量子化されたオーディオ信号を上位１６ビットのデータと、下位４ビットのデータに分離する。
【００７１】
記録部１８は、分離部２５で分離された上位１６ビットのデータを第１のセッション９の第１の記録領域３に記録し、下位４ビットのデータを第２のセッション１０の第２の管理領域５に記録する。
【００７２】
また、このとき、上述したように、第１の管理領域２には、ポイント部１１２が例えば“Ｂ０”あるいは“Ｃ０”と定義された情報フレームと、ポイント部１１２が“Ｅ０”と定義された情報フレームとが、さらに、第２の管理領域５には、例えばポイント部１１２が“Ｄ２”と定義された情報フレームが記録される。
【００７３】
ところで、従来のＣＤ−ＤＡフォーマットでは、１６ビット以上のビット数で量子化されたデジタルオーディオ情報又は１６ビット以上のデータサイズを有するデジタルオーディオ情報を直接ディスクに記録することができなかったため、このデジタルオーディオ情報のビットサイズを小さくする処理を行って、ＣＤ−ＤＡフォーマットのデータとしてディスクに記録していたが、この本発明を適用した記録装置では、例えば２０ビットのデータサイズを有するデジタルオーディオ情報を上位１６ビットと下位４ビットに分割し、この上位ビット側の１６ビットのデータサイズを有するデジタルオーディオ情報をＣＤ−ＤＡフォーマットで第１の記録領域３に記録すると共に、残りの下位ビット側の４ビット分のデジタルオーディオ情報を第２の記録領域６に記録することにより、ハイビット化された２０ビットのデジタルオーディオ情報をＣＤ−Ｒディスクに記録することができる。また、このように記録されたＣＤ−Ｒディスクからは、通常のＣＤプレーヤを用いてＣＤ−ＤＡフォーマットで記録されたデジタルオーディオ情報を再生することができる。
【００７４】
なお、上述では、ハイビット化したデジタルオーディオ情報を上位ビットと下位ビットに分離し、それぞれを第１の記録領域３と第２の記録領域６に記録したＣＤ−Ｒディスクであることを示す識別データとして、第１の管理領域２のポイント部１１２が“Ｂ０”あるいは“Ｃ０”である情報フレームと、“Ｅ０”である情報フレームとを設け、さらに、第２の管理領域５のポイント部１１２が“Ｄ２”である情報フレームを設けた具体例について説明したが、本発明は、この具体例に限定されるものでなく、例えば第１の管理領域２のポイント部１１２及び第２の管理領域５のポイント部１１２に他の値を記録して、識別データとしてもよい。
【００７５】
また、上述では、ハイビット化されたデジタルオーディオ情報を上位ビットと下位ビットに分離する方法として、単純に上位１６ビットと下位４ビットに分離した例を挙げたが、これに限定されず、上位ビット側のデータをハイビット化したデジタルオーディオ情報に基づいて得られたデータとし、下位ビット側のデータを残りのデータに基づいて得られるデータとしてもよい。
【００７６】
ここで、ハイビット化されたデジタルオーディオ情報を上位ビットと下位ビットに分離して記録する記録装置の変形例の構成を図９に示す。
【００７７】
この変形例の記録装置では、量子化部２４の出力の代わりに、４４．１ｋＨｚの標本化周波数で標本化した後、例えば１６ビット以上のビット数で量子化したデジタルオーディオ情報が記録されたマスタテープ３０を再生して得られるデジタルオーディオ情報を用いている。また、このマスタテープ３０には、記録されているデジタルオーディオ情報を管理するための管理情報も予め書き込まれているものとしている。
【００７８】
また、この記録装置では、ＣＤ−Ｒディスク１に記録する上位ビットのデータ、例えば上位１６ビットのデータを、マスタテープ３０からのデジタルオーディオ情報をノイズシェーピング部３１あるいはディザ回路部３２にてデータサイズを１６ビットデータに落として得られるものとし、下位ビットのデータを、差分計算部３５にてマスタテープ３０からのデジタルオーディオ情報と、ノイズシェーピング部３１あるいはディザ回路部３２からの出力との差分としている。
【００７９】
すなわち、ノイズシェーピング部３１は、聴覚特性を考慮し、マスタテープ３０からのデジタルオーディオ情報をいわゆるオーバーサンプリングすることにより、ノイズの周波数特性を感度の悪い高域に移動させて量子化ノイズを軽減すると共に、１６ビット以上のビット数を有するデジタルオーディオ情報を、いわゆるサインビットマッピング（sign bit mapping）のアルゴリズムを用いて１６ビットのデジタルオーディオ情報（以下、単に１６ビットデータともいう。）にする。そして、ノイズシェーピング部３１は、この１６ビットデータを、管理情報生成部４２に供給する共に、１６ビットデータパス３３を介して音楽ＣＤフォーマット変換部３６と差分計算部３５に供給する。
【００８０】
一方、ディザ回路部３２は、マスタテープ３０からのデジタルオーディオ情報に、１量子化ステップより小さなランダムノイズ、いわゆるディザを加えて１６ビットよりも大きなデータサイズのデータを１６ビットデータに変換する。例えば、２０ビットの量子化レベルで量子化されたデータ、すなわち２０ビットデータを１６ビットデータに変換する際に、２０ビットの１量子化レベルのステップは１６ビットの量子化レベルでの１量子化ステップより小さいため、ある１６ビットの量子化ステップ間に分散するデータを、前後の１６ビットの量子化レベルに統計的に分散させて量子化ノイズを軽減する。そして、ディザ回路部３２は、この１６ビットデータを、管理情報生成部４２に供給するすると共に、１６ビットデータパス３３を介して差分計算部３５と音楽ＣＤフォーマット変換部３６に供給する。
【００８１】
タイミング補正メモリ３４は、マスタテープ３０からの１６ビット以上のビット数を有するデジタルオーディオ情報を一時的に記憶すると共に、記憶したデジタルオーディオ情報を、対応するデータがノイズシェーピング部３１あるいはディザ回路部３２から差分計算部３５に供給されるのと同期させて、差分計算部３５に供給する。
【００８２】
差分計算部３５は、ノイズシェーピング部３１あるいはディザ回路部３２からの１６ビットデータと、タイミング補正メモリ３４からの１６ビット以上の大きさのデータとの差分を取って、得られる差分データを混合部３９に供給する。
【００８３】
混合部３９は、アドレスデータ出力部３７から供給されるアドレスデータと、差分計算部３５からの差分データとを混合して、ひとまとまりのデータ、すなわち混合データを生成する。なお、アドレスデータは、差分データに対応する１６ビットデータのＣＤ−Ｒディスク１でのアドレスを示し、後述する再生装置にて、この差分データと、１６ビットデータとを同期させて再生するのに用いられる。そして、混合データは、内部メモリ４１に供給され、一時的に記憶される。
【００８４】
一方、音楽ＣＤフォーマット変換部３６は、１６ビットデータをＣＤ−ＤＡフォーマットで規定されるデータに変換し、得られる音楽ＣＤフォーマットデータを切換スイッチ４０を介して、ＥＦＭ変調部４５に供給する。
【００８５】
また、ＣＤ−ＲＯＭフォーマット変換部３８は、内部メモリ４１に蓄積された混合データをＣＤ−ＲＯＭフォーマットで規定されるデータに変換し、得られるＣＤ−ＲＯＭフォーマットデータを切換スイッチ４０を介してＥＦＭ変調部４５に供給する。
【００８６】
管理情報生成部４２は、レジスタを有し、第１の管理領域２あるいは第２の管理領域５に記録するための管理情報を形成するは管理データを、マスタテープ３０から再生された管理情報及びノイズシェーピング部３１あるいはディザ回路部３２からの出力に基づいて生成し、レジスタに一時的に蓄積する。また、管理情報生成部４２は、レジスタに蓄積した管理データを切換スイッチ４０を介してＥＦＭ変調部４５に供給する。なお、後述するように、第１の管理領域２に記録する第１の管理データがＥＦＭ変調部４５に出力された後には、第２の管理領域５に記録する第２の管理データが生成され、レジスタにはこの第２の管理データが蓄積される。
【００８７】
リードアウト生成部４３は、第１のリードアウト領域４及び第２のリードアウト領域７に記録するリードアウトデータを生成し、切換スイッチ４０を介してＥＦＭ変調部４５に出力する。
【００８８】
制御部４４は、切換スイッチ４０の切り換え動作を制御する。ここで、ＣＤ−Ｒディスク１へのデータ記録は、内周側から順、すなわち第１の管理領域２、第１の記録領域３、第１のリードアウト領域４、第２の管理領域５、第２の記録領域６、第２のリードアウトの順序で行われる。
【００８９】
したがって、ＣＤ−Ｒディスク１に記録する順序に従って、制御部４４は、記録開始時に管理情報生成部４２の出力が選択されるように切換スイッチ４０を切り換えて、第１の管理データをＥＦＭ変調部４５に供給し、続いて音楽ＣＤフォーマット変換部３６の出力が選択されるように切換スイッチ４０を切り換えて、リアルタイムで送られてくる第１の記録領域３に記録する音楽ＣＤフォーマットデータをＥＦＭ変調部４５に供給し、さらに、リードアウト生成部４３の出力が選択されるように切換スイッチ４０を切り換えて、第１のリードアウト領域４に記録する第１のリードアウトデータをＥＦＭ変調部４５に供給する。さらに、制御部４４は、第１のセッション９に記録するためのデータをＥＦＭ変調部４５に送り終えた後、第２のセッション１０に記録するためのデータも、上述のように、切換スイッチ４０を管理情報生成部４２、ＣＤ−ＲＯＭフォーマット変換部３８、リードアウト生成部４３の順に切り換える制御を行い、データをＥＦＭ変調部４５に供給する。なお、ＣＤ−ＲＯＭフォーマット変換部３８は、その出力が切換スイッチ４０によって選択されると、内部メモリ４１に蓄積されているデータを取り出し、ＣＤ−ＲＯＭフォーマットに変換して出力する。
【００９０】
ＥＦＭ変調部４５は、各部分から切換スイッチ４０を介して供給されるデータを、ＣＤ方式で採用されている変調方式であるＥＦＭ（eight to fourteen modulation）のアルゴリズムにて変調して、入力されるデータをＣＤ−Ｒディスク１に書き込む形態に変換し、レーザダイオード４６に出力する。
【００９１】
レーザダイオード４６は、ＥＦＭ変調部４５から出力されるデータをＣＤ−Ｒディスク１に記録するための記録用光源であり、ＥＦＭ変調部４５からのデータに応じて記録用レーザ光を発光し、この記録用レーザ光をＣＤ−Ｒディスク１の表面に設けられた記録面に照射して記録を行う。
【００９２】
なお、例えば図１０に示すように、さらに検出部４８を設けて、この検出部４８において、音楽ＣＤフォーマットデータ及びＣＤ−ＲＯＭフォーマットデータの各データ量を検出し、この検出結果に基づいて、後からＣＤ−ＲＯＭフォーマットデータを書き込む第２の記録領域６に不足が生じないか否かを判別し、この判別結果に応じて制御部５１を動作させるようにしてもよい。
【００９３】
すなわち、判別結果は、これ以上音楽ＣＤフォーマットデータの第１の記録領域への記録を継続すると、音楽ＣＤフォーマットデータに対応するＣＤ−ＲＯＭフォーマットデータを記録する第２の記録領域６が不足する虞が生じた場合に発生する信号であり、この信号を制御部５１に供給する。そして、制御部５１は、この信号に基づいて、切換スイッチ４０を制御する。また、判定結果を警告表示部４９に供給して、第１の記録領域の記録の強制終了を知らせる表示を行わせる。
【００９４】
また、例えば図１１に示すように、アドレスデータと同様に、１６ビットデータと差分データをリンクするために、タイムコードを出力するタイムコード出力部５２と、このタイムコード出力部５２からタイムコードを、差分計算部３５からの差分データと混合するためのデータに変換するタイムコードデータ変換部５３とを設け、ＣＤ−Ｒディスク１の第２の記録領域６にタイムコード情報を含んだデータを記録するようにしてもよい。
【００９５】
すなわち、図１１において、音楽ＣＤフォーマット変換部５５は、ノイズシェーピング部３１あるいはディザ回路部３２から１６ビットデータパス３３を介して供給される１６ビットデータを音楽ＣＤフォーマットデータに変換する。そして、この音楽ＣＤフォーマットデータは、ＥＦＭ変調された後、第１のセッション９の各領域にレーザダイオード等の記録用光源を用いて記録される。
【００９６】
一方、混合部５４は、差分計算部３５からの差分データと、タイムコードデータ変換部５３からのタイムコードデータと、アドレスデータ出力部３７からのアドレスデータとを混合し、得られる混合データをＣＤ−ＲＯＭフォーマット変換部５６に供給する。ＣＤ−ＲＯＭフォーマット変換部５６は、この混合データをＣＤ−ＲＯＭフォーマットデータに変換する。そして、このＣＤ−ＲＯＭフォーマットデータは、ＥＦＭ変調された後、第２のセッション１０の各領域にレーザダイオード等の記録用光源を用いて記録される。
【００９７】
また、この図１１に示す記録装置では、音楽ＣＤフォーマット変換部５５による第１のセッション９への記録と、ＣＤ−ＲＯＭフォーマット変換部５６による第２のセッション１０への記録とを、それぞれ独立した記録用ヘッドを用いて並行して行うようにしている。したがって、図９及び図１０に示す記録装置に設けられていた内部メモリ４１は、必要がなくなり、この記録装置では、混合部５４から出力される混合データを、ＣＤ−ＲＯＭフォーマット変換部５６に直接供給するようにしている。
【００９８】
なお、図９及び図１０に示す記録装置においても、図１１に示す記録装置のタイムコード出力部５２のようなタイムコードに関するデータを出力する部分を設けて、混合部３９にタイムコードデータを出力するようにしてもよい。換言すると、図１１に示す記録装置において、図９及び図１０に示す記録装置と同様に、単独の記録用ヘッドを用いて、第２の記録領域６にタイムコード等を記録するようにしてもよい。
【００９９】
つぎに、本発明を適用した記録装置の第３の実施例について説明する。
【０１００】
この第３の実施例の記録装置は、例えば図１２に示すように、音声処理部２３して、収録用音源１１からのオーディオ信号を所定の標本化周波数で標本化すると共に、得られるデジタルオーディオ情報を所定のビット数で量子化する量子化部２４と、量子化部２４からのデジタルオーディオ情報を所定の標本化周波数の整数分の１の周波数で帯域分割して、２つのグループに分割する帯域分割部６１とを有する。そして、記録部１８は、２つのグループの内の一方のグループのデジタルオーディオ情報をＣＤ−Ｒディスク１の第１のセッション９に記録し、他方のグループのデジタルオーディオ情報をこのＣＤ−Ｒディスク１の第２のセッション１０に記録するようになっている。
【０１０１】
具体的には、第１のマイク２１と第２の２２からのオーディオ信号は、量子化部２４に供給される。量子化部２４は、これらのオーディオ信号を、例えばＣＤ−ＤＡフォーマットで規定されている標本化周波数よりも高い標本化周波数、例えば８８．２ｋＨｚにて標本化した後、２０ビット直線量子化する。ここで、ＣＤ−ＤＡフォーマットで規定されるデータサイズは、４４．１ｋＨｚの標本化周波数で標本化され１６ビットである。また、所定の標本化周波数で標本化したデジタルオーディオ情報における有効な信号成分は、標本化周波数の半分の周波数よりも低域側のものである。
【０１０２】
そこで、帯域分割部６１は、例えば２２ｋＨｚ以下の信号成分を通過させる低域通過フィルタと、２２ｋＨｚ〜４４ｋＨｚまでの帯域の信号成分を通過させる帯域通過フィルタとから構成され、帯域分割部６１は、８８．２ｋＨｚの標本化周波数で標本化されたデジタルオーディオ情報の内、低域通過フィルタによって２２ｋＨｚ以下の信号成分を取り出し、この信号成分を周波数特性変換部６２に供給し、また、帯域通過フィルタによって２２ｋＨｚ〜４４ｋＨｚの信号成分を取り出し、この信号成分を圧縮処理部６３に供給する。
【０１０３】
周波数特性変換部６２は、２２ｋＨｚまでの帯域の信号成分を、さらに４４．１ｋＨｚの標本化周波数で標本化し、例えば上述のサインビットマッピングのアルゴリズムを用いて２０ビットのデータサイズを１６ビットに落として、記録部１８に供給する。このようにして、ＣＤ−ＤＡフォーマットで規定されるデータ、すなわち４４．１ｋＨｚの標本化周波数で標本化され、１６ビットで量子化されたデータが得られる。
【０１０４】
一方、圧縮処理部６３は、２２ｋＨｚ〜４４ｋＨｚの帯域の信号成分を、例えば上述のＡＴＲＡＣのアルゴリズムを用いて略１／５のデータサイズに圧縮して記録部１８に供給する。
【０１０５】
記録部１８は、周波数特性変換部６２からのデータをＣＤ−Ｒディスク１の第１のセッション９の第１の記録領域３に記録し、圧縮処理部６３からの圧縮データをＣＤ−ＲＯＭフォーマットのデータに変換して、このＣＤ−Ｒディスク１の第２のセッション１０の第２の記録領域６に記録する。
【０１０６】
また、このとき、上述したように、第１の管理領域２には、ポイント部１１２が例えば“Ｂ０”あるいは“Ｃ０”と定義された情報フレームと、ポイント部１１２が“Ｅ０”と定義された情報フレームとが、さらに、第２の管理領域５には、例えばポイント部１１２が“Ｄ３”と定義された情報フレームが記録される。
【０１０７】
ところで、従来のＣＤ−ＤＡフォーマットでは、４４．１ｋＨｚよりも大きな標本化周波数で標本化したデジタルオーディオ情報の記録を直接行うことが不可能であったが、この本発明を適用した記録装置では、例えば８８．２ｋＨｚの標本化周波数で標本化したデジタルオーディオ情報の低域側の信号成分をダウンサンプリングしてビット数を落としたＣＤ−ＤＡフォーマットのデジタルオーディオ情報が第１の記録領域に記録され、高域側の信号成分を圧縮したデジタルオーディオ情報が第２の記録領域６に記録されたＣＤ−Ｒディスクを生成することができる。また、このように記録されたＣＤ−Ｒディスクからは、通常のＣＤプレーヤを用いて、ＣＤ−ＤＡフォーマットで記録デジタルオーディオ情報を再生することができる。
【０１０８】
また、従来のＣＤ−ＤＡフォーマットでは、１６ビット以上のビット数で量子化されたデジタルオーディオ情報又は１６ビット以上のデータサイズを有するデジタルオーディオ情報の記録を直接行うことが不可能であったが、この第３の実施例の記録装置では、例えば２０ビットのデータサイズを有するデジタルオーディオ情報を低域側と高域側に分割し、低域側のデジタルオーディオ情報をサインビットマッピング等によってビット数を落とし、高域側を圧縮することにより、第２の実施例の記録装置と同様に、ハイビット化されたデジタルオーディオ情報を記録できると共に、通常のＣＤプレーヤを用いてＣＤ−ＤＡフォーマットで記録されたデジタルオーディオ情報を再生することができる記録媒体を実現することができる。
【０１０９】
なお、上述では、標本化周波数が４４．１ｋＨｚより高いいわゆるハイサンプリングされたデジタルオーディオ情報が所定の周波数で帯域分割され、さらに、得られる低域側のデータが４４．１ｋＨｚの標本化周波数でダウンサンプリングされて第１の記録領域３に記録されると共に、高域側のデータがＡＴＲＡＣのアルゴリズムを用いて圧縮されて第２の記録領域６に記録されたＣＤ−Ｒディスクであることを示す識別データとして、第１の管理領域２のポイント部１１２が“Ｂ０”あるいは“Ｃ０”である情報フレームと、“Ｅ０”である情報フレームとを設け、さらに、第２の管理領域５のポイント部１１２が“Ｄ３”である情報フレームを設けた具体例について説明したが、本発明は、この具体例に限定されるものではなく、例えば第１の管理領域２のポイント部１１２及び第２の管理領域５のポイント部１１２に他の値を記録として、識別データとしてもよい。
【０１１０】
また、上述では、圧縮処理部６３において、高域側の信号成分をＡＴＲＡＣのアルゴリズムを用いて圧縮するようにしていたが、これに限定されず、他の圧縮アルゴリズムを用いて圧縮するようにしてもよい。さらには、圧縮しなくてもビット数を落とすようにダウンサンプリングして、ＣＤ−ＲＯＭフォーマットのデータになるような量子化を行うようにしてもよい。
【０１１１】
つぎに、本発明を適用した再生装置の第１の実施例について説明する。
【０１１２】
この第１の実施例の再生装置は、例えば図１に示すようにデジタルオーディオ情報が記録された第１の記録領域３と、この第１の記録領域３に記録されたデジタルオーディオ情報を管理するための情報が記録された第１の管理領域２と、第１の記録領域３に記録されたデジタルオーディオ情報に対応するデジタルオーディオ情報が記録された第２の記録領域６と、この第２の記録領域６に記録されたデジタルオーディオ情報を管理するための情報が記録された第２の管理領域５とを有するＣＤ−Ｒディスク１からデジタルオーディオ情報を再生する再生装置であって、例えば図１３に示すように、ＣＤ−Ｒディスク１からデジタルオーディオ情報を再生する光ピックアップ７０及び信号処理部７１と、光ピックアップ７０によって第１の記録領域３から読み取ったデジタルオーディオ情報を記憶する第１のメモリ７２と、光ピックアップ７０によって第２の記録領域６から読み取ったデジタルオーディオ情報を記憶する第２のメモリ７３と、第１のメモリ７２に蓄積されているデータ量が所定量以上か否かを判別する第１の判別部７４と、第２のメモリ７３に蓄積されているデータ量が所定量以上か否かを判別する第２の判別部７５と、光ピックアップ７０を移動するサーボ回路部７７と、第１の管理領域２の情報に基づいて第２の記録領域６に光ピックアップ７０を移動して、第２の記録領域６から読み取ったデジタルオーディオ情報を第２のメモリ７３に記憶し、第２の判別部７５にて第２のメモリ７３に記憶されたデータ量が所定量以上と判別された場合、第２のメモリ７３に蓄積されたデジタルオーディオ情報に対応するデジタルオーディオ情報が記録された第１の記録領域３に光ピックアップ７０を移動して、第１の記録領域３から読み取ったデジタルオーディオ情報を第１のメモリ７２に記憶し、第１のメモリ７２と第２のメモリ７３からデジタルオーディオ情報を同期を取って出力する制御を行う制御部７６とを備える。
【０１１３】
なお、上述のようにＣＤ−Ｒディスク１は、第１の管理領域２と第１の記録領域３を有する第１のセッション９にはＣＤ−ＤＡフォーマットのデータが記録され、第２の管理領域５と第２の記録領域６を有する第２のセッション１０にはＣＤ−ＲＯＭフォーマットのデータが記録されたマルチセッションの光ディスクである。
【０１１４】
そして、光ピックアップ７０は、ＣＤ−Ｒディスク１からのデータを読み出し、得られる再生信号を信号処理部７１に供給する。また、光ピックアップ７０は、後述するサーボ回路部７７からのサーボ制御信号に基づいて、第１の記録領域３あるいは第２の記録領域６にアクセスする。ここで、ＣＤ−Ｒディスク１の第１のセッション９から第２のセッション１０へのアクセス時間及び第２のセッション１０から第１のセッション９への光ピックアップ７０のアクセス時間は、例えば１秒である。
【０１１５】
信号処理部７１は、再生信号から、第１の管理領域２あるいは第２の管理領域５から得られるＣＤ−Ｒディスク１の種類を示す識別データを抽出して、制御部７６に供給する。そして、制御部７６は、この識別データに基づいて信号処理部７１等を制御する。具体的には、信号処理部７１は、制御部７６の制御の下に、第１のセッション９を読み出して得られた再生信号に対してＣＤ−ＤＡフォーマット用の信号処理を施し、得られるデジタルオーディオ情報を第１のメモリ７２に供給し、第２のセッション１０を読み出して得られた再生信号に対して所定の信号処理を施し、得られるデジタルオーディオ情報を第２のメモリ７３に供給する。
【０１１６】
例えば、後述するように、第１の実施例の記録装置にて記録されたＣＤ−Ｒディスク１を再生する場合は、再生しようとしているＣＤ−Ｒディスク１は、第２のセッション１０を有するディスクであり、第２の記録領域６に記録されているデータはＡＴＲＡＣのアルゴリズムを用いて圧縮されており、第１の管理領域２にはポイント部１１２が“Ｂ０”あるいは“Ｃ０”である情報フレームが、また、第２の管理領域５にはポイント部１１２が“Ｄ１”である情報フレームが記録されている。そして、信号処理部７１は、これらの情報フレームを検出すると、情報フレームを識別する識別テータを制御部７６に供給する。制御部７６は、この識別データに応じた制御信号によって信号処理部７１を制御し、信号処理部７１は、第２の記録領域６に対応するデータを伸張し、得られるデジタルオーディオ情報を第２のメモリ７３に供給する。
【０１１７】
第１のメモリ７２は、信号処理部７１から供給される第１の記録領域３に対応するデジタルオーディオ情報を一時的に記憶する。また、この第１のメモリ７２は、取り込んだ蓄積データ量を示すデータを第１の判別部７４に供給すると共に、制御部７６からのメモリ制御信号に基づいて、記憶しているデジタルオーディオ情報を読み出して再生出力部７９に供給する。また、第２のメモリ７３は、信号処理部７１からの第２の記録領域６に対応するデジタルオーディオ情報を一時的に記憶する。また、この第２のメモリ７３は、第１のメモリ７２と同様に、取り込んだ蓄積データ量を示すデータを第２の判別部７５に供給すると共に、制御部７６からのメモリ制御信号に基づいて、記憶しているデジタルオーディオ情報を読み出して再生出力部７９に供給する。
【０１１８】
すなわち、第１の判別部７４は、第１のメモリ７２から送られる蓄積データ量を示すデータに基づいて、第１のメモリ７２の蓄積データ量が所定量、例えば蓄積許容量に達したか否かを判別し、この判別結果を示す判別データを制御部７６に供給する。また、同様に、第２の判別部７５は、第２のメモリ７３から送られる蓄積データ量を示すデータに基づいて、第２のメモリ７３の蓄積データ量が所定量、例えば蓄積許容量に達したか否かを判別し、この判別結果を示す判別データを制御部７６に供給する。なお、ここでは、第１及び第２の判別部７４、７５を、第１及び第２のメモリ７２、７３とは独立して設けたが、これらを各メモリ７２、７３の内部に、あるいは制御部７６の内部に設けるようにしてもよい。
【０１１９】
ここで、この第１の実施例の再生装置の動作、すなわち本発明を適用した再生方法について、例えば図１４に示すフローチャートを参照して説明する。
【０１２０】
この本発明を適用した再生方法は、デジタルオーディオ情報が記録された第１の記録領域３と、この第１の記録領域３に記録されたデジタルオーディオ情報を管理するための情報が記録された第１の管理領域２と、第１の記録領域３に記録されたデジタルオーディオ情報に対応するデジタルオーディオ情報が記録された第２の記録領域６と、第２の記録領域６に記録されたデジタルオーディオ情報を管理するための情報が記録された第２の管理領域５とを有する記録媒体からデジタルオーディオ情報を再生する再生方法であって、図１４に示すように、第１の管理領域２の情報を読み取り、読み取った管理情報に基づいて第２の記録領域６が存在するか否かを判別するステップＳ１、Ｓ２と、ステップＳ１、Ｓ２で第２の記録領域６が存在すると判別された場合、第２の管理領域５に光ピックアップ７０を移動するステップＳ６と、ステップＳ６で移動した光ピックアップ７０によって第２の管理領域５の情報を読み取り、この情報に基づいて第２の記録領域６のデジタルオーディオ情報を読み取り、読み取ったデジタルオーディオ情報を第１のメモリ７２に記憶するステップＳ１２、Ｓ１３、Ｓ１４と、ステップＳ１２〜Ｓ１４にて第１のメモリ７２に蓄積した第２の記録領域６からのデジタルオーディオ情報に対応するデジタルオーディオ情報が記録されている第１の記録領域３中のデータ記録位置に光ピックアップ７０を移動するステップＳ１５と、ステップＳ１５にて移動した光ピックアップ７０によって第１の記録領域３のデジタルオーディオ情報を読み出し、このデジタルオーディオ情報を第２のメモリ７３に記憶すると共に、第１のメモリ７２に蓄積されているデジタルオーディオ情報とこの第２のメモリ７３に蓄積されたデジタルオーディオ情報を同期を取りながら出力するステップＳ１６、Ｓ１７とを有する。
【０１２１】
さらに、この再生方法は、第２のメモリの蓄積量と所定値を比較するステップＳ１８と、ステップＳ１８にて第２のメモリの蓄積量が所定値を越えたと判別された場合、第１のメモリ７２に蓄積されたデジタルオーディオ情報に継続するデジタルオーディオ情報が記録された第２の記録領域６中のデータ記録位置に光ピックアップ７０を移動すると共に、デジタルオーディオ情報を読み出すステップＳ２０と、ステップＳ２０にて読み取った第２の記録領域６のデジタルオーディオ情報を第１のメモリ７２に記憶すると共に、この第１のメモリ７２に蓄積したデジタルオーディオ情報と第２のメモリ７３に蓄積されているデジタルオーディオ情報を同期を取りながら出力するステップＳ２１、Ｓ２２とを有する。
【０１２２】
そして、この再生方法では、ステップＳ０において、ＣＤ−Ｒディスク１の再生操作が開始され、ステップＳ１において、光ピックアップ７０が第１の管理領域２にアクセスして、情報を再生する。
【０１２３】
すなわち、制御部７６は、サーボ回路部７７にサーボ回路制御信号を供給して、光ピックアップ７０のアクセス動作を制御する。
【０１２４】
ステップＳ２において、光ピックアップ７０から供給される管理情報（以下、第１の管理情報という。）中に、図５で示すデータＰＯが“Ｂ０”である情報フレームが存在するか否かが制御部７６で判別される。すなわち、再生しているディスクがマルチセッションディスクであるか否かが判別される。判別結果がＮＯ、すなわち再生しているディスクがシングルセッションディスクである場合には、処理はステップＳ３に進み、この再生装置は、通常のディスクの再生処理を行う。
【０１２５】
一方、ステップＳ２における判別結果がＹＥＳ、すなわち再生しているディスクがマルチセッションディスクであると判別された場合には、処理はステップＳ４に進み、今度は第１の管理情報中に、データＰＯが“Ｅ０”である情報フレームが存在するか否かが制御部７６で判別される。この判別結果がＮＯ、すなわち再生しているディスクが、第２のセッション１０の第２の管理領域５に文字データのみが記録され、第２の記録領域６にはデータが記録されていないディスクであると判別されたときは、処理はステップＳ５に進み、再生装置は、いわゆる文字付ディスクの再生処理を行う。
【０１２６】
また、ステップＳ４における判別結果がＹＥＳ、すなわち再生しているディスクがＣＤ−Ｒディスクであると判別された場合には、処理はステップＳ６に進み、第１の管理情報に示されるアドレス情報に基づいて、光ピックアップ７０は第２の管理領域５をアクセスする。すなわち、制御部７６は、サーボ回路部７７にサーボ回路制御信号を供給して、光ピックアップ７０のアクセス動作を制御する。
【０１２７】
ステップＳ７において、光ピックアップ７０は第２の管理領域５の再生を行い、処理はステップＳ８に進む。
【０１２８】
ステップＳ８において、制御部７６は、第２の管理領域５のデータ内容（以下、第２の管理情報という。）を内部のメモリに蓄積し、処理はステップＳ９に進み、再生装置はコマンド入力待機状態になり一旦停止する。
【０１２９】
ステップＳ１０において、制御部７６はコマンド入力があると判別すると、処理はステップＳ１１に進み、制御部７６は一旦停止を解除し、処理はステップＳ１２に進む。
ステップＳ１２において、制御部７６は、第２の管理情報のアドレス情報に基づいて、サーボ回路制御信号をサーボ回路部７７に供給し、光ピックアップ７０は第２の記録領域６をアクセスする。
【０１３０】
ステップＳ１３において、信号処理部７１は、ＣＤ−ＲＯＭの規格で記録された第２の記録領域６のＣＤ−ＲＯＭフォーマット用スクランブル解除処理や、例えばエラー訂正やアドレス処理等のＣＤ−ＲＯＭ処理を行う。すなわち、制御部７６は、信号処理部７１に処理を行わせる制御信号を送る。
【０１３１】
ステップＳ１４において、第２のメモリ７３は、ＣＤ−ＲＯＭ処理によって得られる再生データを取り込む。すなわち、制御部７６は、信号処理部７１に処理制御信号を供給すると共に、第２のメモリ７３にメモリ制御信号を供給する。
【０１３２】
ステップＳ１５において、光ピックアップ７０は、第２のメモリ７３に取り込まれた再生データに対応するデジタルオーディオ情報が記録されているアドレスに基づいて第１の記録領域３をアクセスする。すなわち、制御部７６は、サーボ回路制御信号をサーボ回路部７７に供給して、光ピックアップ７０のアクセス動作を制御する。
【０１３３】
ステップＳ１６において、光ピックアップ７０は、ステップＳ１５にてアクセスした第１の記録領域３から再生データを再生して出力する。さらに、第１のメモリ７２はこの再生データを取り込む。すなわち、制御部７６は、信号処理部７１に処理を行わせる処理制御信号を供給すると共に、第１のメモリ７２にメモリ制御信号を供給する。
【０１３４】
ステップＳ１７において、第１のメモリ７２及び第２のメモリ７３は、記憶しているデジタルオーディオ情報を、所定のデータ量毎に読み出して、再生出力部７９に供給する。再生出力部７９は、供給されるデジタルオーディオ情報を混合して出力する。すなわち、制御部７６は、第１のメモリ７２、第２のメモリ７３にメモリ制御信号を供給する共に、再生出力部７９に再生制御信号を供給する。
【０１３５】
なお、この間も、信号処理部７１から第１のメモリ７２に、第１の記録領域を再生して得られる再生データが送られて、蓄積されている。
【０１３６】
ステップＳ１８において、制御部７６は、第１のメモリ７２がデータ蓄積許容量に達したか否かを判別し、この判別結果がＮＯ、すなわち第１のメモリ７２に空き領域が存在すると判別したときには、処理はステップＳ１９に進む。
【０１３７】
ステップＳ１９において、光ピックアップ７０は、第１の記録領域３の再生を継続し、第１のメモリ７２は、光ピックアップ７０からの再生データを蓄積する。すなわち、制御部７６は、サーボ回路制御信号をサーボ回路部７７に供給して光ピックアップ７０のアクセス動作を制御すると共に、信号処理部７１に処理制御信号を供給し、第１のメモリ７２にメモリ制御信号を供給する。そして、処理はステップＳ１７に戻る。
【０１３８】
一方、ステップＳ１８での判別結果がＹＥＳ、すなわち制御部７６が第１のメモリ７２がデータ蓄積許容量に達したと判別したときには、処理はステップＳ２０に進む。
【０１３９】
ステップＳ２０において、光ピックアップ７０は、第２の記録領域６の続きのアドレスをアクセスし、データを再生する。すなわち、制御部７６は、サーボ回路制御信号をサーボ回路部７７に供給し、光ピックアップ７０のアクセス動作を制御する。
【０１４０】
ステップＳ２１において、第２のメモリ７３は、ステップＳ２０で光ピックアップ７０よって再生された第２の記録領域６の再生データを取り込む。すなわち、制御部７６は、信号処理部７１に処理制御信号を供給し、第２のメモリ７３にメモリ制御信号を供給する。
【０１４１】
ステップＳ２２において、第１のメモリ７２及び第２のメモリ７３は、記憶しているデジタルオーディオ情報を所定のデータ量毎に読み出して、再生出力部７９に供給する。再生出力部７９は、供給されるデジタルオーディオ情報を混合して出力する。そこで、制御部７６は、第１のメモリ７２、第２のメモリ７３にメモリ制御信号を供給すると共に、再生出力部７９に再生制御信号を供給する。なお、この間も、信号処理部７１から第２のメモリ７３に、第２の記録領域６を再生して得られるからの再生データが送られて、蓄積されている。
【０１４２】
ステップＳ２３において、制御部７６は、第２のメモリ７３がデータ蓄積許容量に達したか否かを判別する。この判別結果がＮＯ、すなわち第２のメモリ７３に空き領域が存在すると判別したときは、処理はステップＳ２１に戻り、判別結果がＹＥＳ、すなわち第２のメモリ７３がデータ蓄積許容量に達したと判別したときは、処理はステップＳ２４に進む。
【０１４３】
ステップＳ２４において、光ピックアップ７０は、第１の記録領域３の続きのアドレスにアクセスし、データを再生する。すなわち、制御部７６は、サーボ回路制御信号をサーボ回路部７７に供給し、光ピックアップ７０のアクセス動作を制御する。
【０１４４】
ステップＳ２５において、判別部７６は、第１の記録領域３の再生が終了したか否か、あるいは停止操作用のコマンド入力があるか否かを判別する。この判別結果がＮＯ、すなわち第１の記録領域３には未再生のデジタルオーディオ情報が存在していると判別すると共に、停止操作用のコマンド入力がないと判別すると、処理はステップＳ２６に進む。
【０１４５】
ステップＳ２６において、光ピックアップ７０は、第１の記録領域３の再生を継続し、第１のメモリ７２は、光ピックアップ７０からの再生データを蓄積する。すなわち、制御部７６は、サーボ回路制御信号をサーボ回路部７７に供給して、光ピックアップ７０のアクセス動作を制御すると共に、信号処理部７１に処理制御信号を供給し、第１のメモリ７２にメモリ制御信号を供給する。そして、処理はステップＳ１７に戻る。
【０１４６】
また、判別結果がＹＥＳ、すなわち第１の記録領域３のデジタルオーディオ情報の再生が終了したと判別されるか、あるいは停止操作用のコマンド入力がなされた場合、処理はステップＳ２７に進み、この再生装置は、再生動作を終了する。
【０１４７】
なお、第２の記録領域６にタイムコードがＣＤ−ＲＯＭフォーマットにて付加されたＣＤ−Ｒディスクである場合、ステップＳ１７及びステップＳ２２では第１のメモリ７２からの再生データと第２のメモリ７３からの再生データをタイミングをとって取り出さなくても、第１のメモリ７２と第２のメモリ７３を同時に読み出すことにより、デジタルオーディオ情報を同期させて出力することができる。
【０１４８】
図１４に示したような再生方法では、読み出したデータを一時的にメモリに取り込んで、このメモリからデータを出力させるには、このメモリに書き込む際のデータ書き込み速度は、データ読み出し速度以上であることが条件となる。
【０１４９】
そこで、第１のメモリ７２にデジタルオーディオ情報を書き込む速度は、第１のメモリからデジタルオーディオ情報を読み出す速度よりも速く、第２のメモリ７３にデジタルオーディオ情報を書き込む速度は、第２のメモリからデジタルオーディオ情報を読み出す速度よりも速くする必要がある。
【０１５０】
ここで、この第１のメモリ７２に書き込む速度及び読み出す速度、また、第２のメモリ７３に書き込む速度及び読み出す速度について、第１の記録領域３にはＣＤ−ＤＡフォーマットデータが記録され、第２の記録領域６にはＡＴＲＡＣのアルゴリズムを用いて圧縮された圧縮データが記録されたＣＤ−Ｒディスクを再生する再生方法を例に挙げて説明する。
【０１５１】
通常のＣＤ方式において規定される再生時のデータ読み出し速度は、１．４１１２Ｍビット／秒である。また、上述のようにＡＴＲＡＣのアルゴリズムを用いて圧縮された圧縮データは略１／５のデータサイズに圧縮されているため、第２のメモリ７３からの圧縮データの読み出し速度は、０．２８２２（＝１．４１１２×（１／５））Ｍビット／秒である。
【０１５２】
上述したような条件を満たすには、再生時に第１の記録領域３のデジタルオーディオ情報を取り込む第１のメモリ７２からのデータ読み出し速度は、１．４１１２（Ｍビット／秒）であるため、第１のメモリ７２へのデータ書き込み速度は、１．４１１２（Ｍビット／秒）以上である必要がある。また、第１の記録領域３のデジタルオーディオ情報と同期して再生する際の第２の記録領域６のデジタルオーディオ情報を取り込む第２のメモリ７３からのデータ読み出し速度は、２８２．２（＝１．４１１２（Ｍビット／秒）×（１／５））Ｋビット／秒であるため、第２のメモリ７３へのデータ書き込み速度は、２８２．２Ｋビット／秒以上である必要がある。
【０１５３】
そこで、第１のメモリ７２へのデータ書き込み速度（以下、第１の書き込み速度ともいう。）を、第１のメモリ７２からのデータ読み出し速度（以下、第１の読み出し速度ともいう。）の４倍、すなわち５．６４４８（Ｍビット／秒）とし、第２のメモリへのデータ書き込み速度（以下、第２の書き込み速度ともいう。）を、第２のメモリ７３からのデータ読み出し速度（以下、第２の読み出し速度ともいう。）の２０倍、すなわち５．６４４８（Ｍビット／秒）として、説明を行う。
【０１５４】
第１のメモリ７２は、例えば図１５Ａに示すように、アドレスＡ０から順にデータを記憶していき、それをある周期で繰り返すようになっている。第２のメモリ７３は、例えば図１５Ｂに示すように、第１のメモリ７２と同様に、アドレスＡ０から順にデータを記憶していき、それをある周波数で繰り返すようになっている。なお、第１のメモリ７２及び第２のメモリ７３のデータの蓄積許容量を、１６．３８Ｍビットとする。
【０１５５】
また、第１のメモリ７２にアドレスＡ０から順にデータを書き込んでいく方向とアドレスを示すものとして、ライトベクトルＷ１を定義し、また、第１のメモリ７２のアドレスＡ０から順にデータを読み出す方向とアドレスを示すものとして、リードベクトルＲ１を定義する。さらに、第２のメモリ７３についても同様に、ライトベクトルＷ２とリードベクトルＲ２を定義する。また、一般に、メモリの容量をｍ、このメモリへのデータ書き込み速度をＷ、このメモリからのデータ読み出し速度をｒ（ただし、ｗ＞ｒ）とすると、メモリがデータ蓄積許容量に達する時間Ｔは、以下の式１のようになる。
【０１５６】
Ｔ＝ｍ／（ｗ−ｒ）  ・・・  式１
式１によれば、第１のメモリ７２がデータ蓄積許容量に達するまでの時間Ｔ１は、３．８６９０（＝１６．３８／（５．６４４８−１．４１１２））秒、すなわち略３．９秒である。一方、第２のメモリ７３がデータ蓄積許容量に達するまでの時間Ｔ２は、３．０５４５（＝１６．３８／（５．６４４８−０．２８２２））秒、すなわち略３．１秒である。
【０１５７】
また、第１の書き込み速度が第１の読み出し速度の４倍であり、第２の書き込み速度が第２の読み出し速度の２０倍であるので、ライトベクトルＷ１が進む速度は、リードベクトルＲ１が進む速度の４倍となり、また、ライトベクトルＷ２が進む速度は、リードベクトルＲ２が進む速度の２０倍となる。
【０１５８】
ここで、デジタルオーディオ情報を各記録領域から取り出して再生するタイミングを図１６の数直線で模式化して示す。
【０１５９】
この数直線において、再生を開始し、第１の管理領域２のデータと、第２の管理領域５のデータとを、図１３に示した再生装置の制御部７６が取り込んだ後、時刻ｔ０から時刻ｔ１までの間に、光ピックアップ７０が、第２の管理領域５のデータに基づいて、第１の記録領域３から第２の記録領域６にアクセスする。
【０１６０】
時刻ｔ１から時刻ｔ２までの区間ｌ１では、第２の記録領域６からの再生データが第２のメモリ７３に書き込まれる。時刻ｔ２から時刻ｔ３までの間に、光ピックアップ７０が第２の記録領域６から第１の記録領域３にアクセスする。
【０１６１】
また、時刻ｔ３から時刻ｔ４までの区間ｌ２では、第１の記録領域３からの再生データが第１のメモリ７２に書き込まれる。時刻ｔ４から時刻ｔ５までの間に、光ピックアップ７０が第１の記録領域３から第２の記録領域６にアクセスする。
【０１６２】
時刻ｔ５から時刻ｔ６までの区間ｌ３では、第２の記録領域６からの再生データが第２のメモリ７３に書き込まれる。時刻ｔ６から時刻ｔ７までの間に、光ピックアップ７０が第２の記録領域６から第１の記録領域３にアクセスする。
【０１６３】
また、時刻ｔ７から時刻ｔ８までの区間ｌ４では、第１の記録領域３からの再生データが第１のメモリ７２に書き込まれる。時刻ｔ８から時刻ｔ９までの間に、光ピックアップ７０が第１の記録領域３から第２の記録領域６にアクセスする。
【０１６４】
なお、時刻ｔ１で再生動作が開始し、時刻ｔ３で実際に再生データが出力されるものとする。
【０１６５】
また、第１の記録領域３と第２の記録領域６との間のアクセス時間は、上述のように１秒である。
【０１６６】
また、区間ｌ１は、例えば０．３秒間であり、この区間ｌ１において第２の記録領域６から第２のメモリ７３にデータが取り込まれる。また、ライトベクトルＷ２がリードベクトルＲ２の２０倍の速度を有するので、第２のメモリ７３には６（＝３×２０）秒分の再生データが取り込まれたことになる。すなわち、時刻ｔ２から６秒間は、第２の記録領域６からデータを第２のメモリ７３に取り込む必要はない。
【０１６７】
区間ｌ２は、再生動作開始から区間ｌ５、すなわち１．３（＝０．３＋１）秒後に始まり、また、上述のように第１のメモリ７２がデータ蓄積許容量に達するまでの時間時間Ｔ１は３．９秒間であり、この区間ｌ２において第１の記録領域３から第１のメモリ７２にデータが取り込まれる。また、ライトベクトルＷ１がリードベクトルＲ１の４倍の速度を有するので、第１のメモリ７２には１５．６（＝３．９×４）秒分の再生データが取り込まれたことになるが、このとき、上述のように区間ｌ２の開始時より、第１のメモリ７２ｂからの再生データの出力が開始しているため、データ取り込み終了時、すなわち時刻ｔ４において、第１のメモリ７２には１１．７（＝１５．６−３．９）秒分の再生データが残っていることになる。
【０１６８】
区間ｌ３は、時刻ｔ３から区間ｌ６、すなわち４．９（＝３．９＋１）秒後に始まり、また、上述のように第２のメモリ７３がデータ蓄積許容量に達するまでの時間Ｔ２は３．１秒間であり、この区間ｌ３において第２の記録領域６から第２のメモリ７３にデータが取り込まれる。ここで、第２のメモリ７３へのデータ取り込みを再び開始した時刻ｔ５は、前に第２のメモリ７３へのデータ取り込みを停止した時刻ｔ２から、１秒と、区間ｌ６すなわち４．９（＝３．９＋１）秒とを加算した５．９（＝１＋４．９）秒だけ経過しているが、この経過時間は、上述の６秒以下であるため、第２のメモリ７３がこの区間ｌ６で空になることはない。
【０１６９】
なお、区間ｌ３において、第２のメモリ７３には、６２（＝３．１×２０）秒分の再生データが取り込まれたことになるが、データ読み出し動作が継続しているため、データ取り込み終了時、すなわち時刻ｔ６においては、第２のメモリ７３には５８．９（＝６２−３．１）秒分の再生データが残っていることになる。
【０１７０】
また、区間ｌ４は、第１の記録領域３から第１のメモリ７２に３．９秒間データを１回取り込むと共に、第１のメモリ７２から１５．６秒間データを２回出力するといった動作が行われる。すなわち、区間ｌ４は、３５．１（＝１５．６＋１５．６＋３．９）秒である。ここで、第１のメモリ７２へのデータ取り込みを再び開始した時刻ｔ４は、前に第１のメモリ７２へのデータ取り込みを停止した時刻ｔ４から、区間ｌ７すなわち５．１（＝１＋３．１＋１）秒だけ経過しているが、この経過時間は、上述の１１．７秒以下であるため、第１のメモリ７２がこの区間ｌ７で空になることはない。なお、区間ｌ７が終了する時刻、すなわち時刻ｔ８からは、１１．７秒分の再生データが第１のメモリ７２取り込まれていることになる。
【０１７１】
さらに、時刻ｔ９から、第２のメモリ７３へのデータ取り込みが開始されるが、この時刻ｔ９は、前に第２のメモリ７３へのデータ取り込みを停止した時刻、すなわち時刻ｔ６から、区間ｌ８すなわち３７．１（＝１＋３５．１＋１）秒だけ経過しているが、この経過時間は、上述の５８．９秒以下であるため、第２のメモリ７３がこの区間ｌ８で空になることはない。
【０１７２】
以上のようにして、時刻ｔ５から時刻ｔ９までの区間ｌ９の動作を継続することにより、音声が途切れることなく、第１の記録領域３と第２の記録領域６からデータを再生し、同期をとって出力することができる。すなわち、区間ｌ９は、４０．２（＝３．１＋１＋３５．１＋１）秒である。
【０１７３】
なお、上述では、再生するディスクとして、複数の記録領域を有すると共に、第１の記録領域３にＣＤ−ＤＡフォーマット規格のデータが記録され、第２の記録領域６にＣＤ−ＲＯＭフォーマット規格のデータが記録され、ＣＤ−ＲＯＭフォーマット規格のデータとしてはＡＴＲＡＣのアルゴリズムを用いて圧縮されたデータが記録されたＣＤ−Ｒディスクを例を挙げて説明したが、後述するような他の形態のディスクを用いてもよい。
【０１７４】
また、上述では、ディスクから取り出したデータをメモリに書き込む速度をこのメモリからデータを取り出す速度の４倍としたが、本発明では、これに限定されず、実現可能な範囲でより高速としてもよい。また、メモリの容量を１６Ｍビットとしたが、本発明では、こちらもこれに限定されず、任意の容量を有するメモリを使用することができる。ただし、これらの値が変わると、図１６に示す各区間ｌ１乃至ｌ９の長さも変わることはいうまでもない。例えば、使用するメモリが大容量である程、各区間の長さを長く設定することができる。
【０１７５】
ここで、図１３に示す再生装置の他の部分について説明する。
【０１７６】
サーボ回路部７７は、制御部７６から供給される上述したようなサーボ回路制御信号に応じて、フォーカスサーボ制御信号、トラッキングサーボ制御信号、スレッドサーボ制御信号を光ピックアップ７０に供給して、光ピックアップ７０のサーボ制御を行う。また、サーボ回路部７７は、スピンドルモータ７８に回転サーボ制御信号を供給して、スピンドルモータ７８の回転を制御を行う。
【０１７７】
スピンドルモータ７８は、通常のＣＤプレーヤのスピンドルモータよりも速く回転することが必須である。上述のように、記録媒体からのデータ取り込むメモリに再生データを書き込む速度を、このメモリから再生データを読み出す速度の４倍とするためには、このスピンドルモータ７８の回転速度を、通常のＣＤプレーヤのスピンドルモータの回転速度の４倍とする。また、さらに、スピンドルモータ７８を高速で回転させるようにしてもよい。このように、スピンドルモータ７８を通常のＣＤプレーヤのスピンドルモータよりも速く回転させることにより、上述した再生方法によってＣＤ−Ｒディスク１からのデジタルオーディオ情報の再生が可能となる。
【０１７８】
再生出力部７９は、合成部分、デジタル／アナログ変換器、オーディオアンプ等を備える。そして、合成部分は、制御部７６からの再生制御信号に基づいて、第１のメモリ７２からのデジタルオーディオ情報と第２のメモリ７３からのデジタルオーディオ情報を、同期を取りながら合成し、デジタル／アナログ変換器は、合成されたデジタルオーディオ情報をアナログのオーディオ信号に変換し、オーディオアンプは、このオーディオ信号を増幅し、出力端子８０を介して出力する。
【０１７９】
ここで、本発明を適用した再生装置の第１の実施例の変形例について説明する。
【０１８０】
この再生装置では、ＣＤ−Ｒディスク１の第１のセッション９の第１の記録領域３に記録されているデジタルオーディオ情報は、２チャンネル例えば前方チャンネルのデジタルオーディオ情報であり、第２のセッション１０の第２の記録領域６に記録されているデジタルオーディオ情報は、第１の記録領域３に記録されているデジタルオーディオ情報に対応する２チャンネル例えば後方チャンネルのデジタルオーディオ情報であり、この再生装置は、ＣＤ−Ｒディスク１からデジタルオーディオ情報を再生するようになっている。また、第２の記録領域６に記録されているデジタルオーディオ情報は、例えばＡＴＲＡＣのアルゴリズムで圧縮されたデジタルオーディオ情報である。
【０１８１】
この変形例の再生装置では、例えば図１７に示すように、光ピックアップ７０は、サーボ回路部７７からのフォーカスサーボ制御信号、トラッキングサーボ制御信号、スレッドサーボ制御信号により、ＣＤ−Ｒディスク１をアクセスする。そして、ＣＤ−Ｒディスク１のデータは、光ピックアップ７０によって読み取られて、ＲＦ信号として、ＲＦ回路１３１に供給され、波形整形及び２値化された後、ＣＤ信号処理及び時間軸同期回路１３２に供給される。
【０１８２】
ＣＤ信号処理及び時間軸同期回路１３２は、ＲＦ回路１３１からのデータの内、第１の管理領域２、第２の管理領域５に記録されていた管理情報が入力されると、この管理情報を制御部７６に供給する。また、ＣＤ信号処理及び時間軸同期回路１３２は、第１の記録領域３、第２の記録領域６に記録されていたプログラムデータ（デジタルオーディオ情報）が入力されると、ＣＤ信号処理すなわちＣＤ−ＤＡフォーマットのデータをＥＦＭ復調し、得られる再生データを第１のメモリ７２に供給する。
【０１８３】
一方、ＣＤ信号処理及び時間軸同期回路１３２は、ＣＤ−ＲＯＭフォーマットのデータが入力されると、このＣＤ−ＲＯＭフォーマットのデータをＥＦＭ復調し、得られるデータをＣＤ−ＲＯＭ信号処理回路１３３に供給する。
【０１８４】
また、ＣＤ信号処理及び時間軸同期回路１３２は、制御部７６からの処理制御信号、メモリ制御信号に基づいて、第１のメモリ７２から再生データを読み出し、前方チャンネル出力端子１３７を介して出力する。
【０１８５】
第１のメモリ７２は、例えば１６Ｍビットの容量を有し、第１の記録領域３に記録されていたデータに対応した再生データを一時的に記憶する。
【０１８６】
そして、ＣＤ−ＲＯＭ信号処理回路１３３は、ＣＤ信号処理及び時間軸同期回路１３２からのＣＤ−ＲＯＭフォーマットのデータを、ＣＤ−ＲＯＭフォーマット用のエラー訂正符号を用いてエラー訂正したり、アドレス情報等を検出する。
【０１８７】
そして、ＣＤ−ＲＯＭ信号処理回路１３３は、得られた再生データをメモリ制御回路１３５を介して第２のメモリ７３に、アドレス情報を制御部７６に供給する。すなわち、ＣＤ−ＲＯＭ信号処理回路１３３に接続されているＲＯＭ１３４は、例えば６４Ｋビットの容量を有し、このＲＯＭ１３４にはエラー訂正やアドレス情報を検出するためのデータやプログラムが記憶されている。そして、ＣＤ−ＲＯＭ信号処理回路１３３は、これらのデータやプログラムに従って、エラー訂正やアドレス検出を行う。
【０１８８】
メモリ制御回路１３５は、ＣＤ−ＲＯＭ信号処理回路１３３から供給される再生データ、すなわち第２の記録領域６から得られる再生データを第２のメモリ７３に供給する。また、メモリ制御回路１３５は、制御部７６からのメモリ制御信号に応じて、第２のメモリ７３から再生データを読み出して、圧縮デコード処理回路１３６に供給する。第２のメモリ７３は、例えば第１のメモリ７２と同様に、１６Ｍビットの容量を有し、第２の記録領域６に記録されていたデータに対応する再生データを一時的に記憶する。
【０１８９】
圧縮デコード処理回路１３６は、第２のメモリ７３から読み出された再生データ、すなわちＡＴＲＡＣのアルゴリズムを用いて略１／５のデータサイズに圧縮されているデータを復調し、得られる再生データを後方チャンネル出力端子１３８を介して出力する。
【０１９０】
制御部７６は、ＣＤ信号処理及び時間軸同期回路１３２から供給される管理情報と再生データに基づいて、光ピックアップ７０のＣＤ−Ｒディスク１に対するアクセス動作を制御するためサーボ回路制御信号を発生し、このサーボ回路制御信号をサーボ回路部７７に供給すると共に、ＣＤ信号処理及び時間軸同期回路１３２及びＣＤ−ＲＯＭ信号処理回路１３３でのデータ処理を制御するための処理制御信号を発生して、ＣＤ−ＲＯＭ信号処理回路１３３に供給する。また、制御部７６は、第１のメモリ７２から再生データを取り出すためのメモリ制御信号を発生して、ＣＤ信号処理及び時間軸同期回路１３２を介してＣＤ−ＲＯＭ信号処理回路１３３に供給し、また、第２のメモリ７３から再生データを取り出すためのメモリ制御信号をメモリ制御回路１３５に供給する。また、制御部７６は、ＣＤ−ＲＯＭ信号処理回路１３３からのＣＤ−ＲＯＭフォーマットデータに基づいて、圧縮デコード処理回路１３６での復調動作を制御する復調制御信号を発生して、圧縮デコード処理回路１３６に供給する。
【０１９１】
サーボ回路部７７は、制御部７６から供給されるサーボ回路制御信号に基づいて、フォーカスサーボ制御信号、トラッキングサーボ制御信号、スレッドサーボ制御信号を発生して、光ピックアップ７０のＣＤ−Ｒディスク１に対するアクセス動作を制御する。また、スピンドルモータ７８の回転動作を制御するための回転サーボ制御信号を発生して、スピンドルモータ７８に供給する。
【０１９２】
スピンドルモータ７８は、上述のように、通常のＣＤプレーヤのスピンドルモータよりも回転速度が速く、例えば４倍速で回転する。
【０１９３】
そして、この再生装置では、前方チャンネルのデジタルオーディオ情報が第１の記録領域３に記録され、後方チャンネルのデジタルオーディオ情報が第２の記録領域６に記録されたＣＤ−Ｒディスク１を再生した場合、光ピックアップ７０によって各記録領域のデータが読み取られ、第１の記録領域３からのデータはＣＤ信号処理及び時間軸同期回路１３２で処理され、第１のメモリ７２に一時的に蓄積される。また、第２の記録領域６からのデータはＣＤ信号処理及び時間軸同期回路１３２でＥＦＭ復調処理された後、メモリ制御回路１３５を介して第２のメモリ７３に一時的に蓄積される。
【０１９４】
制御部７６は、第１のメモリ７２に取り込まれた再生データと第２のメモリ７３に取り込まれた再生データを、メモリ制御信号に基づいて、同期させて取り出し、第１のメモリ７２からの再生データを前方チャンネル出力端子１３７を介して出力し、第２のメモリ７３からの再生データを圧縮デコード処理回路１３６で復調した後、後方チャンネル出力端子１３８を介して出力する。
【０１９５】
つぎに、再生装置の第１の実施例の他の変形例について説明する。
【０１９６】
この再生装置では、ＣＤ−Ｒディスク１の第１のセッション９の第１の記録領域３に記録されているデジタルオーディオ情報は、オーディオ信号を所定の標本化周波数、例えば８８．２ｋＨｚで標本化した後、所定のビット数、例えば１６ビットで量子化されたデジタルオーディオ情報を所定の周波数、例えば２２ｋＨｚで帯域分割し、例えば０ｋＨｚ〜２２ｋＨｚの低域側のループのデジタルオーディオ情報を所定の標本化周波数より低い標本化周波数、例えば４４．１ｋＨｚで標本化したデジタルオーディオ情報であり、第２のセッション１０の第２の記録領域６に記録されているデジタルオーディオ情報は、２２ｋＨｚ〜４４ｋＨｚの高域側のグループのデジタルオーディオ情報を例えばＡＴＲＡＣのアルゴリズムで圧縮したデジタルオーディオ情報であり、この再生装置は、ＣＤ−Ｒディスク１からデジタルオーディオ情報を再生するようになっている。
【０１９７】
ここで、この第２の変形例の再生装置の構成を図１８に示す。なお、以下の説明では、図１７に示す再生装置と同じ回路には、同一の符号を付して、説明を省略する。
【０１９８】
光ピックアップ７０からの出力は、上述と同様に、ＲＦ回路１３１を介してＣＤ信号処理及び時間軸同期回路１３２に供給される。なお、光ピックアップ７０のアクセス動作は、サーボ回路部７７からのサーボ制御信号よって制御される。
【０１９９】
ＣＤ信号処理及び時間軸同期回路１３２は、第１の記録領域３からデータをＥＦＭ復調し、ＣＤ−ＤＡフォーマット規格の再生データとして第１のメモリ７２に記憶させる。また、ＣＤ信号処理及び時間軸同期回路１３２は、第２の記録領域６からのデータをＥＦＭ復調して、ＣＤ−ＲＯＭ信号処理部１３３に供給する。また、ＣＤ信号処理及び時間軸同期回路１３２は、制御部７６からのメモリ制御信号に基づいて、第１のメモリ７２から再生データを取り出して、オーバーサンプリング回路１４０に供給する。なお、ＣＤ信号処理及び時間軸同期回路１３２の動作は、制御部７６からの処理制御信号によって制御される。
【０２００】
ここで、オーバーサンプリング回路１４０について説明する。
【０２０１】
上述のように、第１の記録領域３に記録されているデジタルオーディオ情報は、８８．２ｋＨｚで標本化したデータの０ｋＨｚ〜２２ｋＨｚまでの部分である。これに対して、オーバーサンプリング回路１４０には、ＣＤ−ＤＡフォーマット規格のデータすなわち４４．１ｋＨｚの標本化周波数で標本化されたデータが入力される。したがって、オーバーサンプリング回路１４０は、ＣＤ−ＤＡフォーマット規格のデータを、例えば８８．２ｋＨｚの標本化周波数でオーバーサンプリングし、得られたオーバーサンプリングデータを帯域合成回路１４１に供給する。
【０２０２】
一方、ＣＤ−ＲＯＭ信号処理回路１３３は、上述のように、第２の記録領域６に記録されていたデータのエラー訂正やアドレス処理を行い、得られる再生データをメモリ制御回路１３５を介して第２のメモリ７３に供給すると共に、アドレス情報を制御部７６に供給する。なお、ＣＤ−ＲＯＭ信号処理回路１３３の動作は、制御部７６からの処理制御信号に基づいて制御される。
【０２０３】
メモリ制御回路１３５は、ＣＤ−ＲＯＭ信号処理回路１３３からの再生データを第２のメモリ７３に記憶させると共に、制御部７６からのメモリ制御信号に基づいて、第２のメモリ７３から再生データを読み出し、圧縮デコード処理回路１３６に供給する。
【０２０４】
圧縮デコード処理回路１３６は、第２のメモリ７３から読み出された再生データはＡＴＲＡＣのアルゴリズムを用いて圧縮されているので、復調して、得られたデータを帯域合成回路１４１に供給する。なお、復調して得られるデータは、８８．２ｋＨｚで標本化したデジタルオーディオ情報の２２ｋＨｚ〜４４ｋＨｚの部分である。また、圧縮デコード処理回路１３６は、制御部７６からの復調制御信号に基づいて制御される。
【０２０５】
帯域合成回路１４１は、オーバーサンプリング回路１４０から供給される８８．２ｋＨｚの標本化周波数で標本化された０ｋＨｚ〜２２ｋＨｚのデータと、圧縮デコード処理回路１３６から供給される８８．２ｋＨｚの標本化周波数で標本化された２２ｋＨｚ〜４４ｋＨｚのデータとを合成し、８８．２ｋＨｚの標本化周波数で標本化された０ｋＨｚ〜４４ｋＨｚの範囲のデジタルオーディオ情報を、デジタルオーディオ情報出力端子１３９を介して出力する。なお、第１のメモリ７２からの再生データの取り出しと、第２のメモリ７３からの再生データの取り出しとは、制御部７６によって制御されており、帯域合成回路１４１には、タイミングが合った状態で、互いに対応するデジタルオーディオ情報が入力されるため、ここでは、特に同期をとる必要はない。
【０２０６】
続いて、再生装置の第１の実施例の第３の変形例ついて説明する。
【０２０７】
この再生装置では、ＣＤ−Ｒディスク１の第１のセッション９の第１の記録領域３に記録されているデジタルオーディオ情報は、オーディオ信号を所定の標本化周波数、例えば４４．１ｋＨｚで標本化した後、所定のビット数例えば２０ビットで量子化されたデジタルオーディオ情報の上位の例えば１６ビットのデジタルオーディオ情報であり、第２のセッション１０の第２の記録領域６に記録されているデジタルオーディオ情報は、量子化されたデジタルオーディオ情報の下位の４ビットのデジタルオーディオ情報であり、この再生装置は、ＣＤ−Ｒディスク１からデジタルオーディオ情報を再生するようになっている。
【０２０８】
ここで、この第３の変形例の再生装置の構成を図１９に示す。なお、以下の説明では、図１７の再生装置と同じ回路には、同一の符号を付して、説明を省略する。
【０２０９】
光ピックアップ７０からの出力は、上述と同様に、ＲＦ回路１３１を介してＣＤ信号処理及び時間軸同期回路１３２に供給される。なお、光ピックアップ７０のアクセス動作は、サーボ回路部７７からのサーボ制御信号によって制御される。
【０２１０】
ＣＤ信号処理及び時間軸同期回路１３２は、第１の記録領域３からデータをＥＦＭ復調し、ＣＤ−ＤＡフォーマット規格の再生データとして第１のメモリ７２に記憶させる。また、ＣＤ信号処理及び時間軸同期回路１３２は、第２の記録領域６からのデータをＥＦＭ復調して、ＣＤ−ＲＯＭ信号処理部１３３に供給する。また、ＣＤ信号処理及び時間軸同期回路１３２は、制御部７６からのメモリ制御信号に基づいて、第１のメモリ７２から再生データを取り出して、データ合成部１４２に送る。なお、ここで得られるデータは、４４．１ｋＨｚの標本化周波数で標本化された２０ビットのデジタルオーディオ情報の上位１６ビット分であり、この部分のみを再生出力として出力することができる。また、ＣＤ信号処理及び時間軸同期回路１３２の動作は、制御部７６からの処理制御信号によって制御される。
【０２１１】
ＣＤ−ＲＯＭ信号処理回路１３３は、上述のように、第２の記録領域６に記録されていたデータのエラー訂正やアドレス処理を行い、得られる再生データをメモリ制御回路１３５を介して第２のメモリ７３に供給する共に、アドレス情報を制御部７６に供給する。なお、ＣＤ−ＲＯＭ信号処理回路１３３の動作は、制御部７６からの処理制御信号に基づいて制御される。
【０２１２】
メモリ制御回路１３５は、ＣＤ−ＲＯＭ信号処理回路１３３からの再生データを第２のメモリ７３に記憶させると共に、制御部７６からのメモリ制御信号に基づいて、第２のメモリ７３から再生データを読み出し、データ合成部１４２に供給する。なお、メモリ制御回路１３５から出力されるデータは、４４．１ｋＨｚの標本化周波数で標本化された２０ビットのデジタルオーディオ情報の下位４ビット分である。
【０２１３】
データ合成部１４２は、ＣＤ信号処理及び時間軸同期回路１３２からの上位１６ビット分のデータと、メモリ制御回路１３５からの下位４ビット分のデータとを合成して、オーディオ信号を標本化周波数４４．１ｋＨｚで標本化した２０ビットのデジタルオーディオ情報を生成し、デジタルオーディオ情報出力端子１４３を介して出力する。なお、第１のメモリ７２からの再生データの取り出しと、第２のメモリ７３からの再生データの取り出しとは、制御部７６によって制御されており、データ合成部１４２には、タイミングが合った状態で、互いに対応するデジタルオーディオ情報が入力されるため、ここでは、特に同期をとる必要はない。
【０２１４】
ところで、第１乃至第３の変形例の何れにおいても、第２の記録領域６に記録されているＣＤ−ＲＯＭフォーマットのデータを、対応する第１の記録領域３のデータのタイムコードを含むデジタルオーディオ情報とすると、第１のメモリ７２と第２のメモリ７３から同時に再生データを読み出し、タイムコードを参照して合成することで、高音質のデジタルオーディオ情報を再生することができる。
【０２１５】
つぎに、本発明を適用した再生装置の第２の実施例について説明する。
【０２１６】
この第２の実施例の再生装置は、例えば図１に示すようにデジタルオーディオ情報とアドレス情報が多重化されて記録された第１の記録領域３と、この第１の記録領域３に記録されたデジタルオーディオ情報を管理するための情報が記録された第１の管理領域２と、第１の記録領域３に対応するデジタルオーディオ情報とアドレス情報が多重化されて記録された第２の記録領域６と、この第２の記録領域６に記録されたデジタルオーディオ情報を管理するための情報が記録された第２の管理領域５とを有するＣＤ−Ｒディスク１からデジタルオーディオ情報を再生する再生装置であって、例えば図２０に示すように、第１の記録領域３からデジタルオーディオ情報及びアドレス情報を読み取る第１のピックアップ１５１及び第１の信号処理部１５３と、第２の記録領域６からデジタルオーディオ情報及びアドレス情報を読み取る第２のピックアップ１５２及び第２の信号処理部１５４と、第２の信号処理部１５４からのデジタルオーディオ情報を記憶する内部メモリ１６０と、第１の記録領域３からのアドレス情報と第２の記録領域６からのアドレス情報とに基づいて、内部メモリ１６０と第２の信号処理部１５４を制御する制御部１５５と、第１のピックアップ１５１によって再生されたデジタルオーディオ情報と第２のピックアップ１５２によって再生されたデジタルオーディオ情報を混合する混合部１６２と、混合部１６２によって混合されたデジタルオーディオ情報をアナログのオーディオ信号に変換して出力するＤ／Ａ変換部１６４とを備える。
【０２１７】
なお、上述のようにＣＤ−Ｒディスク１は、第１のセッション９がＣＤ−ＤＡフォーマットにて記録され、第２のセッション１０がＣＤ−ＲＯＭフォーマットにて記録されたマルチセッションの光ディスクである。
【０２１８】
そして、第１のピックアップ１５１は、第１のセッション９に記録されているデジタルオーディオ情報を読み取り、得られる再生信号を第１の信号処理部１５３に供給する。また、第１のピックアップ１５１は、制御部１５５からの後述するサーボ制御信号あるいは読み取り停止信号に基づいて、ＣＤ−Ｒディスク１をアクセスする。
【０２１９】
また、第２のピックアップ１５２は、第２のセッション１０に記録されているデジタルオーディオ情報を読み取り、得られる再生信号を第２の信号処理部１５４に供給する。また、第２のピックアップ１５２は、第１のピックアップ１５１と同様に、制御部１５５からのサーボ制御信号あるいは読み取り停止信号に基づいて、ＣＤ−Ｒディスク１をアクセスする。
【０２２０】
第１の信号処理部１５３は、第１のピックアップ１５１からの再生信号を２値化し、得られる第１の管理領域２からのデータを制御部１５５に供給し、また、第１の記録領域３からのデータをＣＤ−ＤＡフォーマットで規定されている方式で復調し、得られる１６ビットのデジタルオーディオ情報を１６ビットデータパス１５６を介して混合部１６２に供給し、このデジタルオーディオ情報のアドレスデータをアドレスデータパス１５７を介して内部メモリ１６０に供給する。
【０２２１】
第２の信号処理部１５４は、第２のピックアップ１５２からの再生信号を２値化して、第２の管理領域５からのＣＤ−Ｒディスク１の種類を示す識別データを抽出し、この識別データに基づいて、第２の記録領域６からのデータを復号化する。また、第２の信号処理部１５４は、得られるＣＤ−ＲＯＭフォーマットのデータを、ＣＤ−ＲＯＭフォーマットデータパス１５８を介して内部メモリ１６０に供給し、各データのアドレスデータをアドレスデータパス１５９を介して内部メモリ１６０に供給する。
【０２２２】
内部メモリ１６０は、第２の信号処理部１５４から供給されるＣＤ−ＲＯＭフォーマットのデータを蓄積データとして一時的に記憶する共に、第１の信号処理部１５３から供給されるアドレスデータと第２の信号処理部１５４から送られるアドレスデータに基づいて、第１の信号処理部１５３で得られた１６ビットのデジタルオーディオ情報が混合部１６２に出力されるのと同期するようにタイミングをとりながら、蓄積データを混合部１６２に供給する。
【０２２３】
また、蓄積データは、検出部１６１にも供給され、検出部１６１は、内部メモリ１６０の蓄積データ量を見積もり、得られる検出データを制御部１５５に供給する。
【０２２４】
制御部１５５は、図２１に示す第２の例の再生装置による再生方法を示すフローチャートにしたがって、第１の信号処理部１５３から送られる再生信号と、検出部１６１から送られる検出データとに基づいて、第２の例の再生装置の各部に制御信号を供給して、各部の動作を制御する。
【０２２５】
ここで、この第２の実施例の再生装置の動作、すなわち本発明を適用した再生方法について、例えば図２１に示すフローチャートを参照して説明する。
【０２２６】
この本発明を適用した再生方法は、デジタルオーディオ情報とアドレス情報が多重化されて記録された第１の記録領域３と、この第１の記録領域３に記録されたデジタルオーディオ情報を管理するための情報が記録された第１の管理領域２と、第１の記録領域３に対応するデジタルオーディオ情報とアドレス情報が多重化されて記録された第２の記録領域６と、この第２の記録領域６に記録されたデジタルオーディオ情報を管理するための情報が記録された第２の管理領域５とを有する記録媒体であるＣＤ−Ｒディスク１からオーディオ情報を再生する再生方法であって、図２１に示すように、第１のピックアップ１５１によって第１の記録領域３からデジタルオーディオ情報及びアドレス情報を読み取るステップＳ１０７と、第２のピックアップ１５２によって第２の記録領域６からデジタルオーディオ情報及びアドレス情報を読み取るステップＳ１０８と、ステップＳ１０７にて得られたデジタルオーディオ情報及びアドレス情報と、ステップＳ１０８得られたデジタルオーディオ情報及びアドレス情報とに基づいて同期を取りながらデジタルオーディオ情報を出力するステップＳ１１２、Ｓ１１４と、第２のピックアップ１５２からのデジタルオーディオ情報を一時的に記憶する内部メモリ１６０の情報蓄積量が所定値以上か否かを判別するステップＳ１１０と、ステップＳ１１０にて記憶部に記憶された情報の蓄積量が所定値以上と判別された場合、第２のピックアップ１５２を待機状態に制御するステップＳ１１３と、内部メモリ１６０の情報蓄積量が所定値以下か否かを判別するステップＳ１１５と、ステップＳ１１５にて蓄積量が所定値以下と判別された場合、第２のピックアップ１５２を再起動制御するステップＳ１１６とを有する。
【０２２７】
そして、この再生方法では、ステップＳ１００において、ＣＤ−Ｒディスク１の再生動作が開始され、ステップＳ１０１において、制御部１５５は、第１のピックアップ１５１に、第１の管理領域２をアクセスするようにサーボ制御信号を供給し、第１のピックアップ１５１に第１の管理領域２からの管理情報の再生を行わせる。そして、処理はステップＳ１０２に進む。
【０２２８】
ステップＳ１０２において、第１のピックアップ１５１から供給される管理情報（以下、第１の管理情報という。）中に、図５に示すデータＰＯが“Ｂ０”である情報フレームが存在するか否かが制御部１５５で判別される。すなわち、再生しているディスクがマルチセッションディスクであるか否かが判別される。判別結果がＮＯ、すなわち再生しているディスクがシングルセッションディスクである場合には、処理はステップＳ１０３に進み、この再生装置は、通常のディスクの再生処理を行う。
【０２２９】
一方、ステップＳ１０２における判別結果がＹＥＳ、すなわち再生しているディスクがマルチセッションディスクであると判別された場合には、処理はステップＳ１０４に進み、今度は第１の管理情報中に、データＰＯが“ＥＯ”である情報フレームが存在するか否かが判別される。この判別結果がＮＯ、すなわち再生しているディスクが第２のセッション１０の第２の管理領域５に文字データのみが記録され、第２の記録領域６にはデータが記録されていないディスクであると判別されたときは、処理はステップＳ１０５に進み、再生装置は、いわゆる文字付ディスクの再生処理を行う。
【０２３０】
一方、ステップＳ１０４における判別結果がＹＥＳ、すなわち再生しているディスクがＣＤ−Ｒディスクであると判別された場合には、処理はステップＳ１０６に進み、制御部１５５は、第１の管理情報に示されるアドレス情報に基づいて、第２のピックアップ１５２に第２の管理領域５へアクセスするようにサーボ制御信号を供給し、第２のピックアップ１５２は、第２の管理領域５の再生を行い、処理はステップＳ１０７に進む。
【０２３１】
ステップＳ１０７において、制御部１５５は、第１の管理情報で示されるアドレス情報に基づいて、第１のピックアップ１５１に第１の記録領域３へアクセスするようにサーボ制御信号を供給し、第１のピックアップ１５１は、第１の記録領域３に記録されているプログラムを再生する。
【０２３２】
また、ステップＳ１０８において、制御部１５５は、第２の管理情報で示されるアドレス情報に基づいて、第２のピックアップ１５２に第２の記録領域６へアクセスするようにサーボ制御信号を供給し、第２のピックアップ１５２は、第２の記録領域６に記録されているプログラムを再生する。
【０２３３】
ステップＳ１０９において、制御部１５５は、メモリ制御信号を内部メモリ１６０に供給し、内部メモリ１６０は、第２の記録領域６を再生して得られるデータを記憶する。
【０２３４】
また、ステップＳ１１０において、制御部１５５は、検出部１６１から供給される検出データに基づいて、内部メモリ１６０の蓄積データの量が所定量、例えば蓄積許容量に達しているか否かを判別し、この判別結果がＮＯ、すなわち内部メモリ１６０に十分な空き領域が存在する場合は、処理はステップＳ１１１に進む。
【０２３５】
ステップＳ１１１において、第２の記録領域６の再生が終了したか否かが判別され、この判別結果がＮＯ、すなわち演奏がまだ終わっていない場合には、処理はステップＳ１１２に進み、制御部１５５は、第２のピックアップ１５２の再生動作を継続させながら、第１の記録領域３を再生して得られたアドレス情報と、第２の記録領域６を再生して得られたアドレス情報とを同期させて蓄積データを出力させるようなメモリ制御信号を、内部メモリ１６０に供給する。そして、処理はステップＳ１０９に戻る。
【０２３６】
一方、ステップＳ１１１における判別結果がＹＥＳ、すなわち演奏が終了した場合には、処理はステップＳ１１７に進み、制御部１５５は、第１のピックアップ１５１と第２のピックアップ１５２に、読み取り停止信号を送り、再生動作を停止させる。そして、この再生装置は、再生動作を終了する。
【０２３７】
一方、ステップＳ１１０における判別結果がＹＥＳ、すなわち内部メモリ１６０は蓄積データの量が蓄積許容量に達し、これ以上データを取り込むことが不可能であると判別された場合には、処理はステップＳ１１３に進み、制御部１５５は、第２のピックアップ１５２に読み取り停止信号を送り、第２のピックアップ１５２は、再生動作を停止して待機する。
【０２３８】
ステップＳ１１４において、制御部１５５は、ステップＳ１１２と同様に、第１の記録領域３を再生して得られたアドレス情報と、第２の記録領域６を再生して得られたアドレス情報とを同期させて蓄積データを出力させるようなメモリ制御信号を内部メモリ１６０に供給する。そして、処理はステップＳ１１５に進む。
【０２３９】
ステップＳ１１５において、制御部１５５は、検出部１６１からの検出データに基づいて、蓄積データの量が所定値以下になったか否かが判別する。この判別結果がＮＯ、すなわち内部メモリ１６０に空き領域がまだ十分に確保されていないと判別された場合には、処理はステップＳ１１３に戻る。
【０２４０】
一方、ステップＳ１１５での判別結果がＹＥＳ、すなわち蓄積データの量が所定値に達し、内部メモリ１６０に十分な空き領域が確保されたと判別された場合には、処理はステップＳ１１６に進み、制御部１５５は、待機状態にしておいた第２のピックアップ１５２に再起動するような制御信号を送り、処理はステップＳ１１０に戻る。
【０２４１】
なお、ステップＳ１０９乃至ステップＳ１１６の動作は、演奏が終了されるまで継続される。
【０２４２】
ここで、ＣＤ−Ｒディスク１が、第１の記録領域３に記録されているデジタルオーディオ情報が２チャンネルのデジタルオーディオ情報であり、第２の記録領域６に記録されているデジタルオーディオ情報が第１の記録領域３に記録されているデジタルオーディオ情報に対応する２チャンネルのデジタルオーディオ情報であるマルチチャンネルの光ディスクである場合、すなわちＣＤ−Ｒディスク１の第１のセッション９に前方チャンネルのデータがＣＤ−ＤＡフォーマットで記録され、第２のセッション１０に後方チャンネルのデータが圧縮されてＣＤ−ＲＯＭフォーマットで記録されている場合には、第１の管理領域２に図５で示す管理情報のデータＰＯが“Ｂ０”、“Ｅ０”である２つの情報フレームが存在し、また、第２の管理領域５に、図５で示す管理情報にのデータＰＯが“Ｄ１”である情報フレームが存在する。これらの情報フレームが、マルチチャンネルの光ディスクを識別するの識別データになる。
【０２４３】
そこで、制御部１５５は、図２１の再生方法を示すフローチャートのステップＳ１０２及びステップＳ１０４において、第１のピックアップ１５１からの第１の管理情報に、データＰＯが“Ｂ０”である情報フレームとデータＰＯが“Ｅ０”である情報フレームを検出し、さらに、ステップＳ１０６において、第２のピックアップ１５２からの第２の管理情報に、データＰＯが“Ｄ１”である情報フレームを検出する。そして、制御部１５５は、マルチチャンネルに対応する光ディスクの第２の記録領域６を再生するための信号処理、例えば圧縮されているデータを再生する際に伸張処理するといった信号処理方法を指定する処理制御信号を第２の信号処理部１５４に供給する。
【０２４４】
したがって、第１の信号処理部１５３は、前方チャンネルの１６ビットのデジタルオーディオ情報を出力し、第２の信号処理部１５４は、後方チャンネルのデータを出力する。かくして、デジタルオーディオ情報出力端子１６５からは、４チャンネルである高音質のデジタルオーディオ情報が出力される。
【０２４５】
つぎに、ＣＤ−Ｒディスク１が、第１の記録領域３に記録されているデジタルオーディオ情報が所定の標本化周波数で標本化及び所定のビット数で量子化されたデジタルオーディオ情報の上位ビットのデジタルオーディオ情報であり、第２の記録領域６に記録されているデジタルオーディオ情報が量子化されたデジタルオーディオ情報の下位ビットのデジタルオーディオ情報であるいわゆるハイビット化の信号に対応した光ディスクである場合、すなわち例えばＣＤ−Ｒディスク１の第１のセッション９に上位１６ビットのデジタルオーディオ情報がＣＤ−ＤＡフォーマットで記録され、第２のセッション１０に下位４ビットのデジタルオーディオ情報が例えば上述のＡＴＲＡＣのアルゴリズムで圧縮されてＣＤ−ＲＯＭフォーマットで記録され、すなわち２０ビットのいわゆるハイビットのデジタルオーディオ情報が記録されている場合には、第１の管理領域２に図５で示す管理情報のデータＰＯが“Ｂ０”、“Ｅ０”である２つの情報フレームが存在し、また、第２の管理領域５に図５で示す管理情報のデータＰＯが“Ｄ２”である情報フレームが存在する。これらの情報フレームが、ハイビット化の信号に対応した光ディスクの識別データになる。
【０２４６】
そこで、制御部１５５は、図２１の再生方法を示すフローチャートのステップＳ１０２及びステップＳ１０４において、第１のピックアップ１５１からの第１の管理情報に、データＰＯが“Ｂ０”である情報フレームとデータＰＯが“Ｅ０”である情報フレームを検出し、さらに、ステップＳ１０６において、第２のピックアップ１５２からの第２の管理情報に、データＰＯが“Ｄ２”である情報フレームを検出する。そして、制御部１５５は、ハイビット化の信号に対応する光ディスクの第２の記録領域６を再生するための信号処理、例えば圧縮されているデータを再生する際に伸張処理するといった信号処理方法を指定する処理制御信号を第２の信号処理部１５４に供給する。
【０２４７】
したがって、第１の信号処理部１５３は、ＣＤ−ＤＡフォーマットで記録されたデータを出力し、第２の信号処理部１５４は、下位４ビットの情報が伸張処理され得られるデータを出力する。かくして、デジタルオーディオ情報出力端子１６５からは、２０ビットの高音質のデジタルオーディオ情報が出力される。
【０２４８】
また、ＣＤ−Ｒディスク１が、第１の記録領域３に記録されているデジタルオーディオ情報が、所定の標本化周波数、例えば８８．２ｋＨｚで標本化され、所定のビット数、例えば２０ビットで量子化されたデジタルオーディオ情報を所定の周波数、例えば標本化周波数の１／４である２２ｋＨｚで帯域分割し、高域側と低域側とでグループ分けした一方のグループ、例えば低域側のデジタルオーディオ情報を８８．２ｋＨｚの標本化周波数より低い標本化周波数、例えば４４．１ｋＨｚで標本化した、すなわちダウンサンプリングしたデジタルオーディオ情報であり、第２の記録領域６に記録されているデジタルオーディオ情報が、高域側のデジタルオーディオ情報を、例えば上述のＡＴＲＡＣのアルゴリズムで圧縮したいわゆるハイサンプリングデータに対応したデジタルオーディオ情報である光ディスクである場合、すなわち例えばＣＤ−Ｒディスク１の第１のセッション９に８８．２ｋＨｚの標本化周波数で標本化した信号の内、低域側（０ｋＨｚ〜２２ｋＨｚ）のデータがダウンサンプリングされ、ＣＤ−ＤＡフォーマットで記録され、第２のセッション１０に高域側（２２ｋＨｚ〜４４ｋＨｚ）のデータが圧縮され、ＣＤ−ＲＯＭフォーマットで記録されている場合には、第１の管理領域２に図５で示す管理情報のデータＰＯが“ＢＯ”、“ＥＯ”である２つの情報フレームが存在し、また、第２の管理領域５に図５で示す管理情報のデータＰＯが“Ｄ３”である情報フレームが存在する。これらの識別フレームが、マルチチャンネルに対応した光ディスクの識別データになる。
【０２４９】
そこで、制御部１５５は、図２１の再生方法を示すフローチャートのステップＳ１０２及びステップＳ１０４において、第１のピックアップ１５１からの第１の管理情報に、データＰＯが“Ｂ０”である情報フレームとデータＰＯが“Ｅ０”である情報フレームを検出し、さらに、ステップＳ１０６において、第２のピックアップ１５２からの第２の管理情報に、データＰＯが“Ｄ３”である情報フレームを検出する。そして、制御部１５５は、ハイビット化に対応する光ディスクの第２の記録領域６を再生するための信号処理、例えば圧縮されているデータを再生する際に伸張処理するといった信号処理方法を指定する処理制御信号を第２の信号処理部１５４に供給する。
【０２５０】
したがって、第１の信号処理部１５３は、ＣＤ−ＤＡフォーマットで記録されたデータを出力し、第２の信号処理部１５４は、圧縮されたデジタルオーディオ情報を伸張して出力する。かくして、デジタルオーディオ情報出力端子１６５からは、８８．１ｋＨｚの標本化周波数で標本化され、２０ビットの高音質のデジタルオーディオ情報が出力される。
【０２５１】
なお、本発明の記録媒体として、複数のセッションを同一面に有するＣＤ−Ｒディスクを例に挙げて、このＣＤ−Ｒディスクにデータを記録する記録装置、また、このＣＤ−Ｒディスクを再生する再生方法及び再生装置の例を挙げたが、本発明はこれに限定されるものではなく、例えば多層構造を有する記録媒体としてのマルチメディア光学ディスク、例えば第１層目にＣＤ−ＤＡフォーマットのデータを記録し、第２層目にＣＤ−ＲＯＭフォーマットのデータを記録したマルチメディア光学ディスクと、このマルチメディア光学ディスクの記録装置並びに再生方法及び再生装置に本発明を適用することができる。
【０２５２】
以上説明したように、本発明の実施の形態の記録媒体によれば、第１のセッション９と第２のセッション１０とで、異なるフォーマットにてデータを記録することができ、さらに、第１のセッション９にＣＤ−ＤＡフォーマットで記録されたデジタルオーディオ情報を、第２のセッション１０に第１のセッション９に記録されたデジタルオーディオ情報に附属するデジタルオーディオ情報を記録することで、オーディオデータを高音質のままで記録すると共に、従来のＣＤプレーヤに対して互換性を保つ記録媒体が作成できる。
【０２５３】
また、記録媒体において、４チャンネルのデジタルオーディオ情報を各セッションに２チャンネルずつ、少なくとも第１のセッション９にはＣＤ−ＤＡフォーマットにて記録する記録媒体とすることで、高音質のままオーディオデータを記録すると共に、従来のＣＤプレーヤに対して互換性を保つ記録媒体が作成できる。
【０２５４】
また、記録媒体において、１６ビット以上のデジタルオーディオ情報の１６ビットまでを第１のセッション９にＣＤ−ＤＡフォーマットにて記録し、残りのビット分のデジタルオーディオ情報を第２のセッション１０に例えばＣＤ−ＲＯＭフォーマットにて記録する記録媒体とすることで、高音質のままオーディオデータを記録すると共に、従来のＣＤプレーヤに対して互換性を保つ記録媒体が作成できる。
【０２５５】
また、記録媒体において、通常のＣＤ−ＤＡフォーマットで規定されている標本化周波数で標本化したデジタルオーディオ情報を所定の周波数、例えば標本化周波数の１／２の周波数で帯域分割して、この周波数の高域側と低域側とでグループ分けをして、低域側をダウンサンプリングして第１のセッション９にＣＤ−ＤＡフォーマットにて記録し、高域側を第２のセッション１０に例えばＣＤ−ＲＯＭフォーマットにて記録した記録媒体とすることで、高音質のままオーディオデータを記録すると共に、従来のＣＤプレーヤに対して互換性を保つ記録媒体が作成できる。
【０２５６】
また、本発明の実施の形態の記録装置によれば、第１のセッション９と第２のセッション１０とで、異なるフォーマットにてデータを記録することができ、さらに、第１のセッション９にＣＤ−ＤＡフォーマットで記録されたデジタルオーディオ情報を、第２のセッション１０に第１のセッション９に記録されたデジタルオーディオ情報に附属するデジタルオーディオ情報を記録することで、オーディオデータを高音質のままで記録すると共に、従来のＣＤプレーヤに対して互換性を保つ記録媒体が作成できる。
【０２５７】
また、本発明の実施の形態の再生方法によれば、第１の記録領域３にデジタルオーディオ情報が、また、第２の記録領域６に第１の記録領域３に記録されたデジタルオーディオ情報に対応するデジタルオーディオ情報が記録された記録媒体の再生を、第１及び第２の記録領域６に記録された互いに対応するそれぞれのデジタルオーディオ情報を読み取り再生し、同期させて出力することで、高音質のままで記録されている記録媒体から音質を損ねることなく、デジタルオーディオ情報の再生を行うことが可能になる。
【０２５８】
また、再生方法において、第１の記録領域３には２チャンネルのデジタルオーディオ情報が記録され、第２の記録領域６には第１の記録領域３に記録されているデジタルオーディオ情報に対応する２チャンネルのデジタルオーディオ情報が記録されている記録媒体を用いた場合、第１の記録領域３に記録されているデジタルオーディオ情報と、第２の記録領域６に記録されているデジタルオーディオ情報とをそれぞれ読み取り再生し、同期させて出力することで、マルチチャンネルの高音質のデジタルオーディオ情報の再生が可能になる。
【０２５９】
また、再生方法において、第１の記録領域３には１６ビット以上のデジタルオーディオ情報の１６ビットまでが記録され、第２の記録領域６には残りのビット分のデジタルオーディオ情報が記録された記録媒体を用いた場合、第１の記録領域３に記録されているデジタルオーディオ情報と、第２の記録領域６に記録されているデジタルオーディオ情報とをそれぞれ読み取り再生し、同期させて再生することで、ハイビット化された高音質のデジタルオーディオ情報の再生が可能になる。
【０２６０】
また、再生方法において、第１の記録領域３には通常のＣＤ−ＤＡフォーマットで規定されている標本化周波数で標本化したデジタルオーディオ情報を所定の周波数、例えば標本化周波数の１／２の周波数で帯域分割して、標本化周波数の１／２の周波数よりも低域側をダウンサンプリングした情報が記録され、第２の記録領域６には高域側を圧縮した情報が記録された記録媒体を用いた場合、第１の記録領域３からのデジタルオーディオ情報を再生すると共に、第２の記録領域６からの圧縮された情報を伸張処理し再生し、互いに対応するデジタルオーディオ情報を同期させて出力することで、ハイサンプリングの高音質のデジタルオーディオ情報の再生が可能になる。
【０２６１】
また、本発明の実施の形態の再生装置によれば、第１の記録領域３にデジタルオーディオ情報が、また、第２の記録領域６に第１の記録領域３に記録されたデジタルオーディオ情報に対応するデジタルオーディオ情報が記録された記録媒体の再生を、単一の再生手段を用いて、第１及び第２の記録領域６に記録されたデジタルオーディオ情報を読み出し再生し、互いに対応するそれぞれのデジタルオーディオ情報を同期させて出力することで、高音質のままで記録されている記録媒体から音質を損ねることなく、デジタルオーディオ情報の再生を行うことが可能になる。
【０２６２】
また、再生装置において、第１の記録領域３には２チャンネルのデジタルオーディオ情報が記録され、第２の記録領域６には第１の記録領域３に記録されているデジタルオーディオ情報に対応する２チャンネルのデジタルオーディオ情報が記録されている記録媒体を用いた場合、第１の記録領域３に記録されているデジタルオーディオ情報と、第２の記録領域６に記録されているデジタルオーディオ情報とを再生手段にて読み取り再生し、制御手段にて互いに対応するデジタルオーディオ情報を同期させて出力するように制御させることで、マルチチャンネルの高音質のデジタルオーディオ情報の再生が可能になる。
【０２６３】
また、再生装置において、第１の記録領域３には１６ビット以上のデジタルオーディオ情報の１６ビットまでが記録され、第２の記録領域６には残りのビット分のデジタルオーディオ情報が記録された記録媒体を用いた場合、第１の記録領域３に記録されているデジタルオーディオ情報と、第２の記録領域６に記録されているデジタルオーディオ情報とを再生手段にて読み取り再生し、制御手段にて互いに対応するデジタルオーディオ情報を同期させて出力するように制御させることで、ハイビット化された高音質のデジタルオーディオ情報の再生が可能になる。
【０２６４】
また、再生装置において、第１の記録領域３には通常のＣＤ−ＤＡフォーマットで規定されている標本化周波数で標本化したデジタルオーディオ情報を所定の周波数、例えば標本化周波数の１／２の周波数で帯域分割して、標本化周波数の１／２の周波数よりも低域側をダウンサンプリングした情報が記録され、第２の記録領域６には高域側を圧縮した情報が記録された記録媒体を用いた場合、再生手段にて第１の記録領域３に記録されているデジタルオーディオ情報を読み取って取り再生すると共に、第２の記録領域６から圧縮されたデジタルオーディオ情報を読み取り、伸張して再生し、制御手段にて互いに対応するデジタルオーディオ情報を同期させて出力するように制御させることで、ハイサンプリングの高音質のデジタルオーディオ情報の再生が可能になる。
【０２６５】
また、本発明の実施の形態の再生装置によれば、第１の記録領域３にデジタルオーディオ情報が、また、第２の記録領域６に第１の記録領域３に記録されたデジタルオーディオ情報に対応するデジタルオーディオ情報が記録された記録媒体の再生を、２つの再生手段を用いて、第１及び第２の記録領域６に記録されたデジタルオーディオ情報を取り出し、混合手段にて互いに対応するそれぞれのデジタルオーディオ情報を同期させて出力することで、高音質のままで記録されている記録媒体から音質を損ねることなく、デジタルオーディオ情報の再生を行うことが可能になる。
【０２６６】
また、再生装置において、第１の記録領域３には２チャンネルのデジタルオーディオ情報が記録され、第２の記録領域６には第１の記録領域３に記録されているデジタルオーディオ情報に対応する２チャンネルのデジタルオーディオ情報が記録されている記録媒体を用いた場合、第１の再生手段にて第１の記録領域３に記録されているデジタルオーディオ情報を読み取って再生し、第２の再生手段にて第２の記録領域６に記録されているデジタルオーディオ情報を読み取って再生し、混合手段にて第１及び第２の再生手段からの互いに対応するデジタルオーディオ情報を同期させて出力することで、マルチチャンネルの高音質のデジタルオーディオ情報の再生が可能になる。
【０２６７】
また、再生装置において、第１の記録領域３には１６ビット以上のデジタルオーディオ情報の１６ビットまでが記録され、第２の記録領域６には残りのビット分のデジタルオーディオ情報が記録された記録媒体を用いた場合、第１の再生手段にて第１の記録領域３に記録されているデジタルオーディオ情報を読み取って再生し、第２の再生手段にて第２の記録領域６に記録されているデジタルオーデイオ情報を読み取って再生し、混合手段にて第１及び第２の再生手段からの互いに対応するデジタルオーディオ情報を同期させて出力することで、ハイビット化された高音質のデジタルオーディオ情報の再生が可能になる。
【０２６８】
また、再生装置において、第１の記録領域３には通常のＣＤ−ＤＡフォーマットで規定されている標本化周波数で標本化したデジタルオーディオ情報を所定の周波数、例えば標本化周波数の１／２の周波数で帯域分割して、標本化周波数の１／２の周波数よりも低域側をダウンサンプリングした情報が記録され、第２の記録領域６には高域側を圧縮した情報が記録された記録媒体を用いた場合、第１の再生手段にて第１の記録領域３に記録されているデジタルオーディオ情報を読み取って再生し、第２の再生手段にて第２の記録領域６から圧縮されたデジタルオーディオ情報を読み取り、伸張して再生し、混合手段にて第１及び第２の再生手段からの互いに対応するデジタルオーディオ情報を同期させて出力することで、ハイサンプリングの高音質のデジタルオーディオ情報の再生が可能になる。
【０２６９】
なお、本発明は上述した実施の形態のみに限定されるものではなく、本発明の要旨を逸脱しない範囲において種々の変更が可能であることは勿論である。
【図面の簡単な説明】
【０２７０】
【図１】本発明を適用した記録媒体の構成を示す図である。
【図２】記録媒体のデータフォーマットであるＣＩＲＣフレームを説明する図である。
【図３】ＣＩＲＣフレームに基づいたサブコーディングを説明する図である。
【図４】サブコーディングのＱチャンネルのデータフォーマットを示す図である。
【図５】記録媒体の管理領域に記録されるＱチャンネルのデータフォーマットを示す図である。
【図６】本発明を適用した記録装置の第１の実施例の構成を示すブロック図である。
【図７】上記記録装置の音声処理部の構成を示すブロック図である。
【図８】本発明を適用した記録装置の第２の実施例の構成を示すブロック図である。
【図９】上記記録装置の第１の変形例の構成を示すブロック図である。
【図１０】上記記録装置の第２の変形例の構成を示すブロック図である。
【図１１】上記記録装置の第３の変形例の構成を示すブロック図である。
【図１２】本発明を適用した記録装置の第３の実施例の構成を示すブロック図である。
【図１３】本発明を適用した再生装置の第１の実施例の構成を示すブロック図である。
【図１４】本発明を適用した再生方法を説明するためのフローチャートである。
【図１５】上記再生装置のメモリの動作を説明するための図である。
【図１６】２つのメモリーに対するデータ書き込み及びデータ読み出しのタイミングを示す数直線である。
【図１７】本発明を適用した再生装置の第１の実施例の構成を示すブロック図である。
【図１８】上記再生装置の第１の変形例の構成を示すブロック図である。
【図１９】上記再生装置の第２の変形例の構成を示すブロック図である。
【図２０】本発明を適用した再生装置の第２の実施例の構成を示すブロック図である。
【図２１】本発明を適用した再生方法を説明するためのフローチャートである。
【符号の説明】
【０２７１】
１  ＣＤ−Ｒディスク、  ２  第１の管理領域、  ３  第１の記録領域、  ４  第１のリードアウト領域、  ５  第２の管理領域、  ６  第２の記録領域、  ７  第２のリードアウト領域、  ９  第１のセッション、  １０  第２のセッション、  １６  第１の音声処理部、  １７  第２の音声処理部、  １８  記録部、  ２３  音声処理部、  ２４  量子化部、  ２５  分離部、  ３１  ノイズシェーピング部、  ３２  ディザ回路部、  ３５  差分計算部、  ３６，５５  音楽ＣＤフォーマット変換部、  ３８，５６  ＣＤ−ＲＯＭフォーマット変換部、  ３９，５４  混合部、  ４４，５１  制御部、  ４５  ＥＦＭ変調部、  ４６  レーザダイオード、  ５２  タイムコード出力部、  ６１  帯域分離部、  ６２  周波数特性変更部、  ６３  圧縮処理部、  ７０  光ピックアップ、  ７１  信号処理部、  ７２  第１のメモリ、  ７３  第２のメモリ、  ７４  第１の判別部、  ７５  第２の判別部、  ７６  制御部、  １３２  ＣＤ信号処理及び時間軸同期回路、  １３３  ＣＤ−ＲＯＭ信号処理回路、  １３５  メモリ制御回路、  １３６  圧縮デコード処理回路、  １４０  オーバーサンプリング回路、  １４１  帯域合成部、  １４２  データ合成部、  １５２  第１のピックアップ、  １５４  第２のピックアップ、  １５５  制御部、  １６０  内部メモリ、  １６２  混合部、  １６４  Ｄ／Ａ変換部
【図１】
2006309940.tif 000003
【図２】
2006309940.tif 000004
【図３】
2006309940.tif 000005
【図４】
2006309940.tif 000006
【図５】
2006309940.tif 000007
【図６】
2006309940.tif 000008
【図７】
2006309940.tif 000009
【図８】
2006309940.tif 000010
【図９】
2006309940.tif 000011
【図１０】
2006309940.tif 000012
【図１１】
2006309940.tif 000013
【図１２】
2006309940.tif 000014
【図１３】
2006309940.tif 000015
【図１４】
2006309940.tif 000016
【図１５】
2006309940.tif 000017
【図１６】
2006309940.tif 000018
【図１７】
2006309940.tif 000019
【図１８】
2006309940.tif 000020
【図１９】
2006309940.tif 000021
【図２０】
2006309940.tif 000022
【図２１】
2006309940.tif 000023